(57)【特許請求の範囲】
【請求項１】
対象を保護するように構成された錠杆と、
前記錠杆が前記錠杆の軸方向に沿って移動することを阻止するように構成された係止ピンと、
前記錠杆の少なくとも一部又は前記係止ピンの少なくとも一部を収容するように構成され、かつ貫通孔を含み、前記係止ピンの少なくとも一部が前記貫通孔を貫通して内側又は外側へ移動可能であるロックシェルと、
前記係止ピンの少なくとも一部の周りに配置された防水管と、を含み、
前記防水管は、第１の接続端及び第２の接続端を含み、
前記防水管の前記第１の接続端は、前記ロックシェルに接続され、
前記防水管の前記第２の接続端は、前記係止ピンに接続される、錠前であって、
前記錠杆の一部は、前記ロックシェルによって遮蔽され、前記錠前はさらに、
前記ロックシェルに配置され、かつ前記錠杆の軸方向に沿って延在する開口部と、
前記錠杆に取り付けられ、かつ前記開口部に沿って摺動可能であるハンドルと、
前記ロックシェルの前記開口部を閉じるように構成されたカバーシールドと、を含み、
前記カバーシールドは、第１のスリットを有するシートを含み、又は
前記カバーシールドは、第２のスリットを形成するように適合する２つのシートを含む、錠前。
【請求項２】
前記防水管は、前記係止ピンの往復移動方向に沿って伸縮自在である、請求項１に記載の錠前。
【請求項３】
前記防水管の前記第１の接続端は、前記ロックシェルの内側又は前記貫通孔の壁に接続される、請求項１又は２に記載の錠前。
【請求項４】
前記防水管の前記第１の接続端は、第１の突出部を含み、
前記ロックシェルの内側又は前記貫通孔の壁は、前記第１の突出部に対応する第１の溝を含み、
前記第１の突出部は、前記第１の溝に挿入可能である、請求項３に記載の錠前。
【請求項５】
前記防水管の前記第２の接続端は、第２の突出部を含み、
前記係止ピンは、第２の溝を含み、
前記第２の突出部は、前記第２の溝に挿入可能である、請求項１〜４のいずれか一項に記載の錠前。
【請求項６】
前記防水管の前記第１の接続端の第１の開口寸法は、前記防水管の前記第２の接続端の第２の開口寸法より大きい、請求項１〜５のいずれか一項に記載の錠前。
【請求項７】
前記開口部の平面内における前記カバーシールドの投影は、前記ロックシェルの前記開口部と重なり合う、請求項１〜６のいずれか一項に記載の錠前。
【請求項８】
前記カバーシールドは、保護塗装膜を含み、
前記保護塗装膜は、防水材料、日焼け止め材料又は防食材料のうちの少なくとも１種を
含む材料で製造される、請求項１〜７のいずれか一項に記載の錠前。
【請求項９】
前記係止ピンが前記錠杆が前記錠杆の軸方向に沿って移動することを阻止するとき、前記係止ピンが前記係止ピンの軸方向に沿って移動することを阻止するように構成された位置制限部品と、
前記位置制限部品の第１の移動及び前記係止ピンの第２の移動を駆動するように構成された実行部品と、をさらに含み、
前記係止ピン、前記位置制限部品、前記実行部品及び前記錠杆の少なくとも一部は、前記ロックシェル内に収容され、
前記位置制限部品の前記第１の移動は、前記位置制限部品が前記係止ピン又は前記ロックシェルから離れる移動を含み、
前記係止ピンの前記第２の移動は、前記係止ピンが前記錠杆から離れる移動を含む、請求項１〜８のいずれか一項に記載の錠前。
【請求項１０】
対象を保護するように構成された錠杆と、
前記錠杆が前記錠杆の軸方向に沿って移動することを阻止するように構成された係止ピンと、
前記錠杆の少なくとも一部又は前記係止ピンの少なくとも一部を収容するように構成され、かつ貫通孔を含み、前記係止ピンの少なくとも一部が前記貫通孔を貫通して内側又は外側へ移動可能であるロックシェルと、
前記係止ピンの少なくとも一部の周りに配置された防水管と、を含み、
前記防水管は、第１の接続端及び第２の接続端を含み、
前記防水管の前記第１の接続端は、前記ロックシェルに接続され、
前記防水管の前記第２の接続端は、前記係止ピンに接続され、
前記係止ピンが前記錠杆が前記錠杆の軸方向に沿って移動することを阻止するとき、前記係止ピンが前記係止ピンの軸方向に沿って移動することを阻止するように構成された位置制限部品と、
前記位置制限部品の第１の移動及び前記係止ピンの第２の移動を駆動するように構成された実行部品と、をさらに含み、
前記係止ピン、前記位置制限部品、前記実行部品及び前記錠杆の少なくとも一部は、前記ロックシェル内に収容され、
前記位置制限部品の前記第１の移動は、前記位置制限部品が前記係止ピン又は前記ロックシェルから離れる移動を含み、
前記係止ピンの前記第２の移動は、前記係止ピンが前記錠杆から離れる移動を含む、錠前。
【請求項１１】
前記防水管は、前記係止ピンの往復移動方向に沿って伸縮自在である、請求項１０に記載の錠前。
【請求項１２】
前記防水管の前記第１の接続端は、前記ロックシェルの内側又は前記貫通孔の壁に接続される、請求項１０又は１１に記載の錠前。
【請求項１３】
前記防水管の前記第１の接続端は、第１の突出部を含み、
前記ロックシェルの内側又は前記貫通孔の壁は、前記第１の突出部に対応する第１の溝を含み、
前記第１の突出部は、前記第１の溝に挿入可能である、請求項１２に記載の錠前。
【請求項１４】
前記防水管の前記第２の接続端は、第２の突出部を含み、
前記係止ピンは、第２の溝を含み、
前記第２の突出部は、前記第２の溝に挿入可能である、請求項１０〜１３のいずれか一項に記載の錠前。
【請求項１５】
前記防水管の前記第１の接続端の第１の開口寸法は、前記防水管の前記第２の接続端の第２の開口寸法より大きい、請求項１０〜１４のいずれか一項に記載の錠前。
【請求項１６】
前記錠杆の一部は、前記ロックシェルによって遮蔽され、前記錠前はさらに、
前記ロックシェルに配置され、かつ前記錠杆の軸方向に沿って延在する開口部と、
前記錠杆に取り付けられ、かつ前記開口部に沿って摺動可能であるハンドルと、
前記ロックシェルの前記開口部を閉じるように構成されたカバーシールドと、を含む、請求項１０〜１５のいずれか一項に記載の錠前。
【請求項１７】
前記開口部の平面内における前記カバーシールドの投影は、前記ロックシェルの前記開口部と重なり合う、請求項１６に記載の錠前。
【請求項１８】
前記カバーシールドは、保護塗装膜を含み、
前記保護塗装膜は、防水材料、日焼け止め材料又は防食材料のうちの少なくとも１種を
含む材料で製造される、請求項１６又は１７に記載の錠前。
【請求項１９】
前記係止ピン又は前記ロックシェルの内側は、前記位置制限部品を収容するように構成された制限ピンホールを含み、
前記制限ピンホールは、前記係止ピンの軸方向に対して垂直であるか又は前記ロックシェルの内側に対して垂直であり、
前記位置制限部品は、固定部と、前記固定部に接続された伸縮部とを含み、
前記固定部は、前記ロックシェルに固定され、
前記係止ピンが前記錠杆を阻止すると、前記伸縮部は、前記制限ピンホールに挿入される、請求項９〜１８のいずれか一項に記載の錠前。
【請求項２０】
前記係止ピンは、駆動ピン及び連結ピンをさらに含み、
前記連結ピンは、前記駆動ピンに接続され、
前記制限ピンホールは、前記連結ピンに配置され、
前記駆動ピンは、前記連結ピンを前記錠杆の錠杆溝に挿入するように駆動するように構成される、請求項１９に記載の錠前。
【請求項２１】
前記実行部品は、駆動機構及び伝達機構を含み、
前記伝達機構は、前記駆動機構に連結され、
前記伝達機構は、第１の部分及び第２の部分を含み、
前記伝達機構の前記第１の部分は、前記係止ピンの前記連結ピンに接続され、
前記伝達機構の前記第２の部分は、前記位置制限部品の前記伸縮部に接続され、
前記駆動機構は、力を出力するように構成され、
前記伝達機構の前記第１の部分は、前記伸縮部が前記制限ピンホールから離れるように駆動するために、力を伝達するように構成され、
前記伝達機構の前記第２の部分は、前記連結ピンが前記錠杆溝から離れるように駆動するために、力を伝達するように構成される、請求項２０に記載の錠前。
【請求項２２】
錠杆を阻止する係止ピンと、前記係止ピンを阻止する位置制限部品と、実行部品とを含む、請求項１から２１のいずれか一項に記載の錠前を解錠する方法であって、
実行部品に１つ以上の命令を送信するステップと、
前記実行部品によって、前記位置制限部品が前記係止ピンの位置制限を解除するように駆動するステップと、
前記実行部品によって、前記係止ピンが前記錠杆から離れて前記錠前を解錠するように
駆動するステップと、を含む方法。
【発明の詳細な説明】
【技術分野】
【０００１】
（関連出願の相互参照）
本出願は、２０１７年２月２８日に出願された中国特許出願第２０１７１０１１０５１９．９号、２０１７年２月２８日に出願された中国特許出願第２０１７２０１８７７２１．７号、２０１７年５月９日に出願された中国特許出願第２０１７１０３２１８２９．５号、２０１７年５月９日に出願された中国特許出願第２０１７２０５１２３１２．Ｘ号、２０１７年５月９日に出願された中国特許出願第２０１７１０３２２２８７．３号、及び２０１７年５月９日に出願された中国特許出願第２０１７２０５１２２８５．６号に対する優先権を主張する。参照により本明細書に明確に組み込まれる。
【０００２】
本開示は、概して、セキュリティシステムに関し、より詳細には、水及び／又は異物の侵入を防止するための錠前及び構造に関する。
【背景技術】
【０００３】
錠前は、装置（例えば、ドア、自転車、引き出し）を保護するための重要な道具である。錠前は、一般的に自然環境に曝されている。一方では、錠前は、室外での使用（例えば、自転車用錠前）において水に浸食されて、水から隔離される必要がある部品（例えば、通信モジュール、シリンダ）を損傷する可能性がある。他方では、錠前は、通常、施錠及び／又は解錠動作を容易にするために１つ以上の開口部を含む。異物（例えば、石、木の枝）が開口部に落ちて、錠前が動けなくなり、かつ正常な施錠及び／又は解錠操作が影響を受ける可能性がある。したがって、水溶液又はその他の異物による影響から錠前を保護するための構造を有する錠前を開発することが望ましい。また、錠前は、正常な使用時又は異常な使用時に、衝撃を受けたり、外力を受けたりする可能性がある。この場合、錠前は、緩み、予期せずに解錠されない可能性がある。したがって、錠前の係止ピンの位置を制限し、予期せずに解錠されないことを防止するための構造を有する錠前を開発することが望ましい。
【発明の概要】
【０００４】
本開示の一態様によれば、錠前を提供する。前記錠前は、錠杆、係止ピン、ロックシェル（ケース）及び防水管を含んでもよい。前記錠杆は、対象を保護するように構成されてもよい。前記係止ピンは、前記錠杆が前記錠杆の軸方向に沿って移動することを阻止するように構成されてもよい。前記ロックシェルは、前記錠杆の少なくとも一部又は前記係止ピンの少なくとも一部を収容するように構成されてもよい。前記ロックシェルは、貫通孔を含んでもよい。前記係止ピンの少なくとも一部は、前記貫通孔を貫通して前記ロックシェルの内側又は外側へ移動可能であってもよい。前記防水管は、前記係止ピンの少なくとも一部の周りに配置されてもよい。前記防水管は、第１の接続端及び第２の接続端を含んでもよい。前記防水管の前記第１の接続端は、前記ロックシェルに接続されてもよい。前記防水管の前記第２の接続端は、前記係止ピンに接続されてもよい。
【０００５】
いくつかの実施形態では、前記防水管は、前記係止ピンの往復移動方向に沿って伸縮自在であってもよい。
【０００６】
いくつかの実施形態では、前記防水管の前記第１の接続端は、前記ロックシェルの内側又は前記貫通孔の壁に接続されてもよい。
【０００７】
いくつかの実施形態では、前記防水管の前記第１の接続端は、第１の突出部を含んでもよい。前記ロックシェルの内側又は前記貫通孔の壁は、前記第１の突出部に対応する第１の溝を含んでもよい。前記第１の突出部は、前記第１の溝に挿入可能であってもよい。
【０００８】
いくつかの実施形態では、前記防水管の前記第２の接続端は、第２の突出部を含んでもよい。前記係止ピンは、第２の溝を含んでもよい。前記第２の突出部は、前記第２の溝に挿入可能であってもよい。
【０００９】
いくつかの実施形態では、前記防水管は、可撓性材料、防食材料、弾性材料又は耐摩耗性材料のうちの少なくとも１種を含む材料で製造されてもよい。
【００１０】
いくつかの実施形態では、前記防水管の前記第１の接続端の第１の開口寸法は、前記防水管の前記第２の接続端の第２の開口寸法より大きくてもよい。
【００１１】
いくつかの実施形態では、前記貫通孔の断面は、円形、楕円形又は帯状を有してもよい。前記係止ピンは、前記貫通孔に対応する断面形状を有してもよい。前記防水管は、前記貫通孔に対応する断面形状を有してもよい。
【００１２】
いくつかの実施形態では、前記錠前は、開口部、ハンドル及びカバーシールドを含んでもよい。前記開口部は、前記ロックシェルに配置され、かつ前記錠杆の軸方向に沿って延在してもよい。前記ハンドルは、前記錠杆に取り付けられてもよい。前記ハンドルは、前記開口部に沿って摺動可能であってもよい。前記カバーシールドは、前記ロックシェルの前記開口部を閉じるように構成されてもよい。
【００１３】
いくつかの実施形態では、前記カバーシールドは、前記ハンドル又は前記錠杆に取り付けられてもよい。
【００１４】
いくつかの実施形態では、前記開口部の平面内における前記カバーシールドの投影は、前記ロックシェルの前記開口部と重なり合ってもよい。
【００１５】
いくつかの実施形態では、前記カバーシールドは、環状扇形を有してもよい。
【００１６】
いくつかの実施形態では、前記カバーシールドは、保護塗装膜を含んでもよい。前記保護塗装膜は、防水材料、日焼け止め材料又は防食材料のうちの少なくとも１種を含む材料で製造されてもよい。
【００１７】
いくつかの実施形態では、前記カバーシールドは、第１のスリットを有するシートを含み、又は第２のスリットを形成するように適合する２つのシートを含んでもよい。
【００１８】
いくつかの実施形態では、前記第１のスリットの延在方向、前記第２のスリットの延在方向又は前記カバーシールドの延在方向は、前記ハンドルの移動方向に対応してもよい。
【００１９】
いくつかの実施形態では、前記カバーシールドは、弾性材料を含んでもよい。
【００２０】
いくつかの実施形態では、前記錠前は、位置制限部品及び実行部品をさらに含んでもよい。前記位置制限部品は、前記係止ピンが前記錠杆が前記錠杆の軸方向に沿って移動することを阻止するとき、前記係止ピンが前記係止ピンの軸方向に沿って移動することを阻止するように構成されてもよい。前記実行部品は、前記位置制限部品の第１の移動及び前記係止ピンの第２の移動を駆動するように構成されてもよい。前記係止ピン、前記位置制限部品、前記実行部品及び前記錠杆の少なくとも一部は、前記ロックシェル内に収容されてもよい。前記位置制限部品の前記第１の移動は、前記位置制限部品が前記係止ピン又は前記ロックシェルから離れる移動を含んでもよい。前記係止ピンの前記第２の移動は、前記係止ピンが前記錠杆から離れる移動を含んでもよい。
【００２１】
いくつかの実施形態では、前記係止ピン又は前記ロックシェルの内側は、前記位置制限部品を収容するように構成された制限ピンホールを含んでもよい。前記制限ピンホールは、前記係止ピンの軸方向に対して垂直であるか又は前記ロックシェルの内側に対して垂直であってもよい。前記位置制限部品は、固定部と、前記固定部に接続された伸縮部とを含んでもよい。前記固定部は、前記ロックシェルに固定されてもよい。前記係止ピンが前記錠杆を阻止すると、前記伸縮部は、前記制限ピンホールに挿入されてもよい。
【００２２】
いくつかの実施形態では、前記係止ピンは、駆動ピン及び連結ピンをさらに含んでもよい。前記連結ピンは、前記駆動ピンに接続されてもよい。前記制限ピンホールは、前記連結ピンに配置されてもよい。前記駆動ピンは、前記連結ピンを前記錠杆の錠杆溝に挿入するように駆動するように構成されてもよい。
【００２３】
いくつかの実施形態では、前記実行部品は、駆動機構及び伝達機構を含んでもよい。前記伝達機構は、前記駆動機構に連結されてもよい。前記伝達機構は、第１の部分及び第２の部分を含んでもよい。前記伝達機構の前記第１の部分は、前記係止ピンの前記連結ピンに接続されてもよい。前記伝達機構の第２の部分は、前記位置制限部品の前記伸縮部に接続されてもよい。前記駆動機構は、力を出力するように構成されてもよい。前記伝達機構の前記第１の部分は、前記伸縮部が前記制限ピンホールから離れるように駆動するために、力を伝達するように構成されてもよい。前記伝達機構の前記第２の部分は、前記連結ピンが前記錠杆溝から離れるように駆動するために、力を伝達するように構成されてもよい。
【００２４】
本開示の別の態様によれば、錠前を提供する。前記錠前は、錠杆、係止ピン、ロックシェル、開口部、ハンドル及びカバーシールドを含んでもよい。前記錠杆は、対象を保護するように構成されてもよい。前記係止ピンは、前記錠杆が前記錠杆の軸方向に沿って移動することを阻止するように構成されてもよい。前記ロックシェルは、前記錠杆の少なくとも一部又は前記係止ピンの少なくとも一部を収容するように構成されてもよい。前記錠杆の一部は、前記ロックシェルによって遮蔽されてもよい。前記開口部は、前記ロックシェルに配置され、かつ前記錠杆の軸方向に沿って延在してもよい。前記ハンドルは、前記錠杆に取り付けられてもよい。前記ハンドルは、前記開口部に沿って摺動可能であってもよい。前記カバーシールドは、前記ロックシェルの前記開口部を閉じるように構成されてもよい。
【００２５】
いくつかの実施形態では、前記カバーシールドは、前記ハンドル又は前記錠杆に取り付けられてもよい。
【００２６】
いくつかの実施形態では、前記カバーシールドは、前記ロックシェルの前記開口部と同じ形状を有してもよい。
【００２７】
いくつかの実施形態では、前記開口部の平面内における前記カバーシールドの投影は、前記ロックシェルの前記開口部と重なり合ってもよい。
【００２８】
いくつかの実施形態では、前記カバーシールドは、環状扇形を有してもよい。
【００２９】
いくつかの実施形態では、前記カバーシールドは、前記ロックシェルの内部又は外部にあってもよい。
【００３０】
いくつかの実施形態では、前記カバーシールドは、保護塗装膜を含んでもよい。前記保護塗装膜は、防水材料、日焼け止め材料又は防食材料のうちの少なくとも１種を含む材料で製造されてもよい。
【００３１】
いくつかの実施形態では、前記カバーシールドは、前記錠前が施錠されたとき又は解錠されたとき、前記ロックシェルの開口部を閉じてもよい。
【００３２】
いくつかの実施形態では、前記カバーシールドは、前記ロックシェルに直接的に接触してもよい。
【００３３】
いくつかの実施形態では、前記カバーシールドは、第１のスリットを有するシートを含み、又は第２のスリットを形成するように適合する２つのシートを含んでもよい。
【００３４】
いくつかの実施形態では、前記第１のスリットの延在方向、前記第２のスリットの延在方向又は前記カバーシールドの延在方向は、前記ハンドルの移動方向に対応してもよい。
【００３５】
いくつかの実施形態では、前記ハンドルの移動方向に沿う前記スリットの第１の長さは、前記ハンドルの移動方向に沿う前記ロックシェルの前記開口部の第２の長さ以上であってもよい。
【００３６】
いくつかの実施形態では、前記カバーシールドは、弾性材料を含んでもよい。
【００３７】
いくつかの実施形態では、前記錠前は、位置制限部品及び実行部品をさらに含んでもよい。前記位置制限部品は、前記係止ピンが前記錠杆が前記錠杆の軸方向に沿って移動することを阻止するとき、前記係止ピンが前記係止ピンの軸方向に沿って移動することを阻止するように構成されてもよい。前記実行部品は、前記位置制限部品の第１の移動及び前記係止ピンの第２の移動を駆動するように構成されてもよい。前記係止ピン、前記位置制限部品、前記実行部品及び前記錠杆の少なくとも一部は、前記ロックシェル内に収容されてもよい。前記位置制限部品の前記第１の移動は、前記位置制限部品が前記係止ピン又は前記ロックシェルから離れる移動を含んでもよい。前記係止ピンの前記第２の移動は、前記係止ピンが前記錠杆から離れる移動を含んでもよい。
【００３８】
いくつかの実施形態では、前記係止ピン又は前記ロックシェルの内側は、前記位置制限部品を収容するように構成された制限ピンホールを含んでもよい。前記制限ピンホールは、前記係止ピンの軸方向に対して垂直であるか又は前記ロックシェルの内側に対して垂直であってもよい。前記位置制限部品は、固定部と、前記固定部に接続された伸縮部とを含んでもよい。前記固定部は、前記ロックシェルに固定されてもよい。前記係止ピンが前記錠杆を阻止すると、前記伸縮部は、前記制限ピンホールに挿入されてもよい。
【００３９】
いくつかの実施形態では、前記伸縮部は、弾性があってもよい。
【００４０】
いくつかの実施形態では、前記係止ピンは、駆動ピン及び連結ピンをさらに含んでもよい。前記連結ピンは、前記駆動ピンに接続されてもよい。前記制限ピンホールは、前記連結ピンに配置されてもよい。前記駆動ピンは、前記連結ピンを前記錠杆の錠杆溝に挿入するように駆動するように構成されてもよい。
【００４１】
いくつかの実施形態では、前記実行部品は、駆動機構及び伝達機構を含んでもよい。前記伝達機構は、前記駆動機構に連結されてもよい。前記伝達機構は、第１の部分及び第２の部分を含んでもよい。前記伝達機構の前記第１の部分は、前記係止ピンの前記連結ピンに接続されてもよい。前記伝達機構の第２の部分は、前記位置制限部品の前記伸縮部に接続されてもよい。前記駆動機構は、力を出力するように構成されてもよい。前記伝達機構の前記第１の部分は、前記伸縮部が前記制限ピンホールから離れるように駆動するために、力を伝達するように構成されてもよい。前記伝達機構の前記第２の部分は、前記連結ピンが前記錠杆溝から離れるように駆動するために、力を伝達するように構成されてもよい。
【００４２】
いくつかの実施形態では、前記駆動機構は、ステッピングモータ、直流（ＤＣ）モータ又はサーボモータのうちの少なくとも１つを含んでもよい。前記伝達機構は、少なくとも１つのラック伝達機構又は歯車伝達機構を含んでもよい。
【００４３】
いくつかの実施形態では、前記錠前は、プロセッサをさらに含んでもよい。前記プロセッサは、前記位置制限部品の前記第１の移動及び前記係止ピンの前記第２の移動を駆動して、前記錠前を解錠するために、前記実行部品に１つ以上の命令を送信するように構成されてもよい。
【００４４】
いくつかの実施形態では、前記実行部品の少なくとも一部は、前記プロセッサに電気的に接続されてもよい。
【００４５】
本開示の別の態様によれば、錠前を解錠する方法を提供する。前記錠前は、係止ピン、位置制限部品及び実行部品を含んでもよい。前記係止ピンは、錠杆を阻止してもよい。前記位置制限部品は、係止ピンを阻止してもよい。前記方法は、前記実行部品に１つ以上の命令を送信することを含んでもよい。前記方法はまた、前記実行部品によって、前記位置制限部品が前記係止ピンの位置制限を解除するように駆動することを含んでもよい。前記方法は、前記実行部品によって、前記係止ピンが前記錠杆から離れて前記錠前を解錠するように駆動することを含んでもよい。
【００４６】
さらなる特徴は、以下の説明に部分的に記載され、当業者であれば、以下の図面及び添付の図面を検討することにより部分的に明らかになるか、又は実施例の製造又は動作によって学習してもよい。本開示の特徴は、以下に説明する詳細な実施例に示される方法論、手段及び組み合わせの様々な態様を実施又は使用することによって実現及び達成されてもよい。
【００４７】
例示的な実施形態により、本開示をさらに説明する。これらの例示的な実施形態について、図面を参照して詳細に説明する。これらの実施形態は、非限定的かつ例示的な実施形態であり、図面の各図に渡って同様の参照番号が類似の構造を表す。
【図面の簡単な説明】
【００４８】
【図１】本開示のいくつかの実施形態に係る例示的なセキュリティシステムを示す概略図である。
【図２】本開示のいくつかの実施形態に係る例示的なコンピューティングデバイスのハードウェア及び／又はソフトウェアコンポーネントを示す概略図である。
【図３】本開示のいくつかの実施形態に係る例示的なモバイルデバイスのハードウェア及び／又はソフトウェアコンポーネントを示す概略図である。
【図４】本開示のいくつかの実施形態に係る例示的な錠前のハードウェアコンポーネントを示す概略図である。
【図５Ａ】本開示のいくつかの実施形態に係る２つの例示的な防水構造の断面図を示す。
【図５Ｂ】本開示のいくつかの実施形態に係る２つの例示的な防水構造の断面図を示す。
【図５Ｃ】本開示のいくつかの実施形態に係る２つの例示的な防水構造の断面図を示す。
【図５Ｄ】本開示のいくつかの実施形態に係る２つの例示的な防水構造の断面図を示す。
【図６Ａ】本開示のいくつかの実施形態に係る、カバーシールドを有する例示的な錠前の断面図を示す。
【図６Ｂ】本開示のいくつかの実施形態に係る、カバーシールドを有する例示的な錠前の断面図を示す。
【図６Ｃ】本開示のいくつかの実施形態に係る、カバーシールドを有する例示的な錠前の断面図を示す。
【図６Ｄ】本開示のいくつかの実施形態に係る、カバーシールドを有する例示的な錠前の断面図を示す。
【図６Ｅ】本開示のいくつかの実施形態に係る、カバーシールドを有する例示的な錠前の断面図を示す。
【図６Ｆ】本開示のいくつかの実施形態に係る、カバーシールドを有する例示的な錠前の断面図を示す。
【図７】本開示のいくつかの実施形態に係る例示的な錠前の一部の断面図を示す。
【図８Ａ】本開示のいくつかの実施形態に係る、位置制限部品を有する例示的な錠前の断面図を示す。
【図８Ｂ】本開示のいくつかの実施形態に係る、位置制限部品を有する例示的な錠前の断面図を示す。
【図８Ｃ】本開示のいくつかの実施形態に係る、位置制限部品を有する例示的な錠前の断面図を示す。
【図９Ａ】本開示のいくつかの実施形態に係る、位置制限部品を有する例示的な錠前の断面図を示す。
【図９Ｂ】本開示のいくつかの実施形態に係る、位置制限部品を有する例示的な錠前の断面図を示す。
【図９Ｃ】本開示のいくつかの実施形態に係る、位置制限部品を有する例示的な錠前の断面図を示す。
【図１０】本開示のいくつかの実施形態に係る、錠前を解錠する例示的なプロセスを示すフローチャートである。
【発明を実施するための形態】
【００４９】
以下の説明は、当業者が本開示を作成し、使用することができるように提示され、かつ特定の用途及びその要件の文脈において提供される。開示される実施形態に対する様々な変更は、当業者には容易に明らかであり、本明細書で定義された一般的な原理は、本開示の精神及び範囲から逸脱することなく、他の実施形態及び用途に適用されてもよい。したがって、本開示は、示された実施形態に限定されるものではなく、特許請求の範囲と矛盾しない最大の範囲まで許容されるものとする。
【００５０】
本明細書で用いられる用語は、特定の例示的な実施形態を説明するためだけのものであり、限定することを意図するものではない。本明細書で用いられる場合に、「ａ」、「ａｎ」の単数形及び「ｔｈｅ」は、文脈上明確に別途示されない限り、同様に複数形も包含することを意図するものとする。「ｃｏｍｐｒｉｓｅ（備える）」、「ｃｏｍｐｒｉｓｅｓ」、及び／又は「ｃｏｍｐｒｉｓｉｎｇ」、「ｉｎｃｌｕｄｅ（含む）」、「ｉｎｃｌｕｄｅｓ」、及び／又は「ｉｎｃｌｕｄｉｎｇ」などの用語は、本開示において用いられる場合、記述される特徴、整数、ステップ、動作、要素、及び／又は部品の存在を明示しているが、１つ以上の他の特徴、整数、ステップ、動作、要素、部品、及び／又はそれらの群の存在又は追加を排除するものではないことがさらに理解される。
【００５１】
本開示の上記及び上記以外の特徴及び性質、ならびに動作方法、構造の関連要素の機能、部品の組み合わせ及び製造の経済性については、以下の詳細な説明を添付の図面を参照して検討することにより、さらに明らかになり、これらはいずれも本開示の一部を構成する。しかしながら、図面は、例示及び説明のためだけのものであり、本開示の範囲を限定するものではないことは、明確に理解されるべきである。図面は縮尺通りではないことが理解される。
【００５２】
本明細書で用いられる「システム」、「エンジン」、「ユニット」、及び／又は「モジュール」という用語は、異なるレベルの異なる部品、要素、部品、セクション又はアセンブリを昇順で区別する１つの方法であることが理解される。しかし、それらの用語は、同じ目的を達成する場合、他の表現によって置き換えられてよい。
【００５３】
文脈上明確に別途示されない限り、ユニット、エンジン、又はモジュールが別のユニット、エンジン、又はモジュールの「上にある」か、「接続されている」か又は「結合されている」と記述されている場合、他のユニット、エンジン、又はモジュールに直接的にあるか、接続されているか、又は結合されているか、又は通信されているか、あるいは、介在するユニット、エンジン、又はモジュールが存在してもよいことが理解される。本明細書で用いられるように、「及び／又は」という用語は、関連する列挙された項目の１つ以上の任意及び全ての組み合わせを含む。
【００５４】
本開示において用いられるフローチャートは、本開示のいくつかの実施形態に従ってシステムが実装する動作を示す。フローチャートの動作が順序通りに実装されなくてもよいことは、明確に理解されるべきである。逆に、動作は、逆の順番で、又は同時に実装されてもよい。さらに、１つ以上の他の動作は、フローチャートに追加されてもよい。１つ以上の動作は、フローチャートから削除されてもよい。
【００５５】
本開示において用いられる測位技術は、全地球測位システム（ＧＰＳ）、全地球航法衛星システム（ＧＬＯＮＡＳＳ）、コンパス航法システム（ＣＯＭＰＡＳＳ）、ガリレオ測位システム、準天頂衛星システム（ＱＺＳＳ）、ワイヤレスフィデリティ（ＷｉＦｉ）測位技術など、又はそれらの任意の組み合わせに基づいてもよい。上記測位システムのうちの１つ以上は、本開示において互換的に用いられてもよい。
【００５６】
本開示は、概して、水及び／又は異物の侵入を防止するための錠前及び構造に関する。錠前は、セキュリティシステムに関する情報に基づいて装置（例えば、自転車、ドア）を保護するために使用されてもよい。錠前は、錠杆、係止ピン、位置制限部品、実行部品、ハンドル、ロックシェル（ケース）、防水構造、カバーシールドなどのうちの１つ以上、又はそれらの任意の組み合わせを含んでもよい。防水構造は、水が錠前の１つ以上の部品（例えば、位置決めモジュール、通信モジュール、シリンダ）に流れ込むことを防止してもよい。カバーシールドは、ロックシェルの開口部を閉じてもよい。係止ピンは、錠前が施錠されたとき又は解錠されたとき、錠杆が錠杆の軸方向に沿って移動することを阻止してもよい。位置制限部品は、係止ピンが錠杆が錠杆の軸方向に沿って移動することを阻止するとき、係止ピンが係止ピンの軸方向に沿って移動することを阻止してもよい。
【００５７】
図１は、本開示のいくつかの実施形態に係る例示的なセキュリティシステム１００を示す概略図である。セキュリティシステム１００は、サーバ１１０、ネットワーク１２０、１つ以上の端末装置１３０、装置１４０、ストレージ１５０、測位装置１６０及び錠前１７０を含んでもよい。セキュリティシステム１００は、本開示に開示された方法及び／又はプロセスを実装することにより、錠前１７０によって装置１４０を保護してもよい。いくつかの実施形態では、保護対象の装置１４０は、自転車であってもよい。自転車は、自転車共有システムで使用される。自転車共有システムは、ユーザが自転車を乗車に使用することを可能にする自転車共有サービスを提供してもよい。ユーザは、乗車を終了して自転車を返却したい場合、自転車を駐車が許可される任意の領域に置き、かつ自転車を施錠してもよい。次いで、自転車は、次のユーザのために準備されてもよい。
【００５８】
サーバ１１０は、端末装置１３０、装置１４０及び／又は錠前１７０と通信してセキュリティシステム１００の様々な機能を提供してもよい。いくつかの実施形態では、サーバ１１０は、例えばネットワーク１２０を介して端末装置１３０から装置１４０に関連する要求を受信してもよい。例えば、サーバ１１０は、例えばネットワーク１２０を介して端末装置１３０から装置１４０を施錠するという要求を受信してもよい。別の例として、装置１４０は、自転車共有システムにおける自転車であってもよく、要求は、自転車を借りる（又は賃借する）ためのサービス要求であってもよい。サービス要求は、例えば自転車の種類、出発地、目的地、走行距離、経路など、又はそれらの任意の組み合わせを含む、乗車及び／又は自転車に関する注文情報を含んでもよい。
【００５９】
サーバ１１０はまた、端末装置１３０、装置１４０及び／又は錠前１７０に情報を送信してもよい。例えば、サーバ１１０は、装置１４０及び／又は錠前１７０に、装置１４０を施錠する命令、装置１４０を解錠する命令、及び／又は装置１４０に関連する情報（例えば、装置１４０が施錠されることを示す情報）を送信してもよい。
【００６０】
いくつかの実施形態では、装置１４０は、自転車共有システムにおける自転車であってもよい。サーバ１１０は、端末装置１３０から受信されたサービス注文に応答して１つ以上の自転車を決定し、かつ例えば１つ以上の自転車の位置、乗車の料金（例えば、乗車の合計料金、乗車の１時間当たりの料金）など、又はそれらの組み合わせを含む、１つ以上の自転車に関連する情報を端末装置１３０に送信してもよい。サーバ１１０はまた、サービス料金管理を提供してもよい。サーバ１１０は、月会費、四半期会費、シーズン（例えば、春季、夏季）会費、年会費、又は乗車１回あたりの料金に基づいて乗車の費用を決定してもよい。
【００６１】
いくつかの実施形態では、サーバ１１０は、単一のサーバ又はサーバグループであってもよい。サーバグループは、アクセスポイントを介してネットワーク１２０に接続された集中型サーバグループ、又は１つ以上のアクセスポイントを介してネットワーク１２０にそれぞれ接続された分散型サーバグループであってもよい。いくつかの実施形態では、サーバ１１０は、ネットワーク１２０に局所的に接続され、又はネットワーク１２０と遠隔接続されてもよい。例えば、サーバ１１０は、ネットワーク１２０を介して、端末装置１３０、装置１４０及び／又はストレージ１５０に記憶される情報及び／又はデータにアクセスしてもよい。別の例として、ストレージ１５０は、サーバ１１０のバックエンドデータストレージとして機能してもよい。いくつかの実施形態では、サーバ１１０は、クラウドプラットフォームで実装されてもよい。単に例として、クラウドプラットフォームは、プライベートクラウド、パブリッククラウド、ハイブリッドクラウド、コミュニティクラウド、分散クラウド、インタークラウド、マルチクラウドなど、又はそれらの任意の組み合わせを含んでもよい。
【００６２】
いくつかの実施形態では、サーバ１１０は、処理エンジン１１２を含んでもよい。処理エンジン１１２は、本開示における１つ以上の機能を実行することに関連する情報及び／又はデータを処理してもよい。例えば、処理エンジン１１２は、錠前１７０の動作情報を処理して錠前の状態（例えば、施錠状態、解錠状態）を決定してもよい。いくつかの実施形態では、処理エンジン１１２は、１つ以上の処理ユニット（例えば、シングルコア処理エンジン又はマルチコア処理エンジン）を含んでもよい。単に例として、処理エンジン１１２は、中央処理装置（ＣＰＵ）、特定用途向け集積回路（ＡＳＩＣ）、特定用途向け命令セットプロセッサ（ＡＳＩＰ）、画像処理装置（ＧＰＵ）、物理演算処理装置（ＰＰＵ）、デジタルシグナルプロセッサ（ＤＳＰ）、フィールドプログラマブルゲートアレイ（ＦＰＧＡ）、プログラマブルロジックデバイス（ＰＬＤ）、コントローラ、マイクロコントローラユニット、縮小命令セットコンピュータ（ＲＩＳＣ）、マイクロプロセッサなど、又はそれらの任意の組み合わせを含んでもよい。
【００６３】
ネットワーク１２０は、情報及び／又はデータの変換を容易にしてもよい。いくつかの実施形態では、セキュリティシステム１００の１つ以上の部品（例えば、サーバ１１０、端末装置１３０、装置１４０、ストレージ１５０又は錠前１７０）は、ネットワーク１２０を介して、セキュリティシステム１００における別の部品に情報及び／又はデータを送信してもよい。例えば、サーバ１１０は、ネットワーク１２０を介して、ストレージ１５０から複数の装置１４０のデータにアクセスし、及び／又はそれらを取得してもよい。例えば、サーバ１１０は、ネットワーク１２０を介して、装置１４０が施錠されるか否かを示す端末装置１３０に送信してもよい。
【００６４】
いくつかの実施形態では、ネットワーク１２０は、任意のタイプの有線又は無線ネットワーク、又はそれらの組み合わせであってもよい。単に例として、ネットワーク１２０は、ケーブルネットワーク、有線ネットワーク、光ファイバネットワーク、テレコミュニケーションネットワーク、イントラネット、インターネット、ローカルエリアネットワーク（ＬＡＮ）、ワイドエリアネットワーク（ＷＡＮ）、無線ローカルエリアネットワーク（ＷＬＡＮ）、メトロポリタンエリアネットワーク（ＭＡＮ）、ワイドエリアネットワーク（ＷＡＮ）、公衆電話交換網（ＰＳＴＮ）、ブルートゥース（登録商標）ネットワーク、ＺｉｇＢｅｅネットワーク、近距離無線通信（ＮＦＣ）ネットワークなど、又はそれらの任意の組み合わせを含んでもよい。いくつかの実施形態では、ネットワーク１２０は、１つ以上のネットワークアクセスポイントを含んでもよい。例えば、ネットワーク１２０は、基地局及び／又はインターネット交換ポイント１２０−１、１２０−２、．．．などのような有線又は無線ネットワークアクセスポイントを含んでもよく、それらを介してセキュリティシステム１００の１つ以上の部品をネットワーク１２０に接続してデータ及び／又は情報を交換する。
【００６５】
いくつかの実施形態では、ユーザは、端末装置１３０の所有者であってもよい。端末装置１３０は、ユーザから入力を受信し、かつ入力に関連する情報をネットワーク１２０を介してサーバ１１０に送信してもよい。端末装置１３０はまた、ネットワーク１２０を介してサーバ１１０から情報を受信してもよい。例えば、端末装置１３０は、ユーザから装置１４０及びサーバ１１０に関連する入力を受信し、及び／又はサーバ１１０から情報又は命令を受信してもよい。単に例として、ユーザは、装置１４０を施錠できないときに保守サービスの要求を入力してもよい。端末装置１３０は、保守サービスの要求をサーバ１１０に送信するように構成されてもよい。
【００６６】
いくつかの実施形態では、装置１４０は、自転車共有システムにおける自転車であってもよい。端末装置１３０は、端末装置１３０の位置付近の自転車を検索するためにサービス要求をサーバ１１０に送信するように構成されてもよい。サーバ１１０は、サービス要求に従って、そしてそれに応答して、端末装置１３０の位置付近の１つ以上の自転車（例えば、自転車の位置、自転車の数）を決定してもよい。サーバ１１０はまた、ネットワーク１２０を介して、決定された１つ以上の自転車に関連する情報を端末装置１３０に送信してもよい。決定された１つ以上の自転車の情報は、電子地図に関連する端末装置１３０に表示されてもよい。端末装置１３０は、サーバ１１０に送信されてもよい、端末装置１３０に表示された自転車から選択された自転車を示す入力をユーザから受信してもよい。端末装置１３０はまた、選択された自転車の位置にユーザを案内するための歩行ナビゲーションを提供してもよい。別の例として、端末装置１３０は、自転車を予約するための入力をユーザから受信し、かつ情報をサーバ１１０に送信してもよい。さらに別の例として、端末装置１３０は、ユーザによって提供されたフィードバック情報をサーバ１１０に送信してもよい。フィードバック情報は、自転車の状態（例えば、自転車の任意の部分を修理する必要があるか否か）、改善提案などを含んでもよい。
【００６７】
いくつかの実施形態では、端末装置１３０は、モバイルデバイス１３０−１、タブレット型コンピュータ１３０−２、ラップトップ型コンピュータ１３０−３、車両内の内蔵デバイス１３０−４など、又はそれらの任意の組み合わせを含んでもよい。いくつかの実施形態では、モバイルデバイス１３０−１は、スマートホームデバイス、ウェアラブルデバイス、スマートモバイルデバイス、仮想現実装置、拡張現実装置など、又はそれらの任意の組み合わせを含んでもよい。いくつかの実施形態では、スマートホームデバイスは、スマート照明装置、インテリジェント電気機器の制御装置、スマート監視装置、スマートテレビ、スマートビデオカメラ、インターフォンなど、又はそれらの任意の組み合わせを含んでもよい。いくつかの実施形態では、ウェアラブルデバイスは、スマートブレスレット、スマートフットギア、スマートグラス、スマートヘルメット、スマートウォッチ、スマートクロージング、スマートバックパック、スマートアクセサリーなど、又はそれらの任意の組み合わせを含んでもよい。いくつかの実施形態では、スマートモバイルデバイスは、スマートフォン、携帯情報端末（ＰＤＡ）、ゲーミングデバイス、ナビゲーション装置、販売時点情報管理（ＰＯＳ）装置など、又はそれらの任意の組み合わせを含んでもよい。いくつかの実施形態では、仮想現実装置及び／又は拡張現実装置は、仮想現実ヘルメット、仮想現実グラス、仮想現実パッチ、拡張現実ヘルメット、拡張現実グラス、拡張現実パッチなど、又はそれらの任意の組み合わせを含んでもよい。例えば、仮想現実装置及び／又は拡張現実装置は、Ｇｏｏｇｌｅ  ＧｌａｓｓＴＭ、Ｏｃｕｌｕｓ  ＲｉｆｔＴＭ、ＨｏｌｏｌｅｎｓＴＭ、Ｇｅａｒ  ＶＲＴＭなどを含んでもよい。いくつかの実施形態では、車両内の内蔵デバイス１３０−４は、内蔵コンピュータ、内蔵車載テレビ、内蔵タブレットなどを含んでもよい。いくつかの実施形態では、端末装置１３０は、ユーザ及び／又は端末装置１３０の位置を特定するための測位装置１６０と通信するように構成された信号送信機及び信号受信機を含んでもよい。例えば、端末装置１３０は、ユーザ及び／又は端末装置１３０の位置を特定するために、測位装置１６０に命令を送信してもよい。
【００６８】
装置１４０は、保護する必要があるいずれかの装置を含んでもよい。例示的な装置１４０としては、自転車、乗用車、ドア、窓、キャビネット、引き出し、パッケージ、金庫、旅行かばんなど、又はそれらの任意の組み合わせが挙げられてもよい。錠前１７０は、装置１４０を施錠するように構成されてもよい。錠前１７０は、その機能を実施するための機構の任意の組み合わせを含んでもよい。錠前１７０は、機械錠又は電子錠であってもよい。装置１４０と錠前１７０は、互いに機械的に接続された別々の部品であってもよい。例えば、装置１４０と錠前１７０は、別々の部品であってもよく、また錠前１７０は、装置１４０に取り付けられてもよい。追加的又は代替的に、装置１４０及び錠前は、一体の装置を形成してもよい。錠前１７０に関する詳細について、本開示の他の場所（例えば、図４〜１０及びその関連説明）に見出すことができる。
【００６９】
装置１４０及び／又は錠前１７０は、サーバ１１０、ネットワーク１２０、端末装置１３０及び／又は測位装置１６０と通信してもよい。例えば、装置１４０及び／又は錠前１７０は、ネットワーク１２０を介して、装置１４０及び／又は錠前１７０の状態情報をサーバ１１０に送信してもよい。状態情報は、装置１４０の位置、装置１４０の施錠／解錠状態、装置１４０の電池電力、錠前１７０の動作情報など、又はそれらの組み合わせを含んでもよい。サーバ１１０は、状態情報に基づいて装置１４０を監視してもよい。別の例として、装置１４０及び／又は錠前１７０は、端末装置１３０及び／又はサーバ１１０から命令（例えば、車両１４０を施錠する／解錠する命令）を受信してもよい。さらに別の例として、装置１４０は、装置１４０の位置を特定するための測位装置１６０と通信するように構成された信号送信機及び信号受信機（例えば、装置１４０のＧＰＳ部品）を含んでもよい。
【００７０】
いくつかの実施形態では、装置１４０は、自転車であってもよい。自転車は、例えば、一輪車、自転車、三輪車、タンデム、モータ付き自転車、電動自転車、モペッドなどを含む任意のタイプの自転車であってもよい。自転車の色は、限定されない。単に例として、自転車の車体の色は、黄色であってもよい。いくつかの実施形態では、自転車は、錠前１７０を含んでもよい。自転車及び／又は錠前１７０は、独特のシンボルで識別されてもよい。独特のシンボルは、バーコード、クイックレスポンス（ＱＲ）コード、文字及び／又は数字を含むシリアル番号など、又はそれらの任意の組み合わせを含んでもよい。例えば、錠前１７０の識別（ＩＤ）は、端末装置１３０のモバイルアプリケーション又は端末装置１３０のカメラ（ある場合）を介して錠前１７０のＱＲコード（登録商標）及び／又は自転車のＱＲコード（登録商標）を走査することによって取得されてもよい。単に例として、錠前１７０のＩＤは、アイフォンのカメラを介して自転車のＱＲコード（登録商標）を走査することによって取得されてもよい。
【００７１】
ストレージ１５０は、データ及び／又は命令を記憶してもよい。データは、ユーザ、端末装置１３０、装置１４０などに関連するデータを含んでもよい。装置１４０は、自転車共有システムにおける自転車であってもよい。ユーザに関連するデータは、例えば、ユーザの名前、ユーザの携帯電話番号、ユーザのＩＤ番号、ユーザのタイプ（例えば、年間カードユーザ、四半期カードユーザ又は月間カードユーザ）、ユーザの使用記録（例えば、乗車時間、費用）、ユーザの信用格付け、履歴ルート、アカウント残高などを含むユーザプロファイルを含んでもよい。自転車に関連するデータは、自転車の使用状態（非アクティブ状態、予約状態、乗車中、メンテナンス状態、紛失状態）、自転車の位置、自転車のタイプ（例えば、一輪車、自転車、三輪車、タンデム、モータ付き自転車、電動自転車）などを含んでもよい。いくつかの実施形態では、ストレージ１５０は、端末装置１３０及び／又は装置１４０から取得されたデータを記憶してもよい。例えば、ストレージ１５０は、端末装置１３０に関連するログ情報を記憶してもよい。いくつかの実施形態では、ストレージ１５０は、サーバ１１０が本開示に記載される例示的な方法を実施するために実行するか又は使用するデータ及び／又は命令を記憶してもよい。
【００７２】
いくつかの実施形態では、ストレージ１５０は、マスストレージ、リムーバブルストレージ、揮発性読み書きメモリ、リードオンリーメモリ（ＲＯＭ）など、又はそれらの任意の組み合わせを含んでもよい。例示的なマスストレージとしては、磁気ディスク、光ディスク、ソリッドステートドライブなどが挙げられてもよい。例示的なリムーバブルストレージとしては、フラッシュドライブ、フロッピーディスク、光ディスク、メモリカード、ジップディスク、磁気テープなどが挙げられてもよい。例示的な揮発性読み書きメモリとしては、ランダムアクセスメモリ（ＲＡＭ）が挙げられてもよい。例示的なＲＡＭとしては、ダイナミックＲＡＭ（ＤＲＡＭ）、ダブルデータレート同期ダイナミックＲＡＭ（ＤＤＲ  ＳＤＲＡＭ）、スタティックＲＡＭ（ＳＲＡＭ）、サイリスタＲＡＭ（Ｔ−ＲＡＭ）及びゼロキャパシタＲＡＭ（Ｚ−ＲＡＭ）などが挙げられてもよい。例示的なＲＯＭとしては、マスクＲＯＭ（ＭＲＯＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、コンパクトディスクＲＯＭ（ＣＤ−ＲＯＭ）及びデジタルバーサタイルディスクＲＯＭなどが挙げられてもよい。いくつかの実施形態では、ストレージ１５０は、クラウドプラットフォームで実装されてもよい。単に例として、クラウドプラットフォームは、プライベートクラウド、パブリッククラウド、ハイブリッドクラウド、コミュニティクラウド、分散クラウド、インタークラウド、マルチクラウドなど、又はそれらの任意の組み合わせを含んでもよい。
【００７３】
測位装置１６０は、例えば１つ以上の端末装置１３０又は装置１４０（例えば、自転車）などの対象に関連する情報を決定してもよい。例えば、測位装置１６０は、端末装置１３０及び／又は装置１４０の現在の時間及び現在の位置を決定してもよい。いくつかの実施形態では、測位装置１６０は、全地球測位システム（ＧＰＳ）、全地球航法衛星システム（ＧＬＯＮＡＳＳ）、コンパス航法システム（ＣＯＭＰＡＳＳ）、北斗衛星測位システム、ガリレオ測位システム、準天頂衛星システム（ＱＺＳＳ）などであってもよい。情報は、対象の位置、高度、速度又は加速度、及び／又は現在時間を含んでもよい。位置は、緯度座標及び経度座標などの座標の形式であってもよい。測位装置１６０は、１つ以上の衛星、例えば、衛星１６０−１、衛星１６０−２、及び衛星１６０−３を含んでもよい。衛星１６０−１〜１６０−３は、上記情報を独立に又は共同して決定してもよい。測位装置１６０は、ネットワーク１２０を介して上記情報を端末装置１３０又は装置１４０に送信してもよい。
【００７４】
いくつかの実施形態では、セキュリティシステム１００の１つ以上の部品は、ネットワーク１２０を介して、ストレージ１５０に記憶されたデータ及び／又は命令にアクセスしてもよい。いくつかの実施形態では、ストレージ１５０は、バックエンドストレージとしてサーバ１１０に直接接続されてもよい。いくつかの実施形態では、セキュリティシステム１００の１つ以上の部品（例えば、サーバ１１０、端末装置１３０又は装置１４０）は、ストレージ１５０にアクセスする許可を有してもよい。いくつかの実施形態では、セキュリティシステム１００の１つ以上の部品は、１つ以上の条件が満たされる場合、ユーザ及び／又は装置１４０に関連する情報の読み取り及び／又は変更を行ってもよい。例えば、サーバ１１０は、自転車の乗車が完了した後に１人以上のユーザの情報の読み取り及び／又は変更を行ってもよい。
【００７５】
いくつかの実施形態では、装置１４０は、自転車共有システムにおける自転車であってもよい。セキュリティシステム１００の１つ以上の部品の間の情報交換は、端末装置１３０上の自転車共有サービスのモバイルアプリケーションを起動すること、車両サービスを要求すること、又は端末装置１３０を介してクエリを入力すること（例えば、自転車を検索すること）によって開始されてもよい。サービス要求の対象は、任意の製品であってもよい。いくつかの実施形態では、製品は、食品、医薬品、商品、化学製品、電気器具、衣類、乗用車、住宅、贅沢品など、又はそれらの任意の組み合わせを含んでもよい。いくつかの他の実施形態では、製品は、サービス製品、金融商品、ナレッジ製品、インターネット製品など、又はそれらの任意の組み合わせを含んでもよい。インターネット製品は、個別ホスト製品、ウェブ製品、モバイルインターネット製品、商用ホスト製品、組み込み製品など、又はそれらの任意の組み合わせを含んでもよい。モバイルインターネット製品は、モバイル端末のソフトウェア、プログラム、システムなど、又はそれらの任意の組み合わせに使用されてもよい。モバイル端末は、タブレット型コンピュータ、ラップトップ型コンピュータ、携帯電話、携帯情報端末（ＰＤＡ）、スマートウォッチ、販売時点情報管理（ＰＯＳ）装置、車載コンピュータ、車載テレビ、ウェアラブルデバイスなど、又はそれらの任意の組み合わせを含んでもよい。例えば、製品は、コンピュータ又は携帯電話で使用される任意のソフトウェア及び／又はアプリケーションであってもよい。ソフトウェア及び／又はアプリケーションは、社交、ショッピング、輸送、娯楽、学習、投資など、又はそれらの任意の組み合わせに関連してもよい。いくつかの実施形態では、輸送に関連するソフトウェア及び／又はアプリケーションは、旅行ソフトウェア及び／又はアプリケーション、車両スケジューリングソフトウェア及び／又はアプリケーション、地図ソフトウェア及び／又はアプリケーションなどを含んでもよい。
【００７６】
当業者であれば、セキュリティシステム１００の要素が実行する場合、この要素は、電気信号及び／又は電磁信号を介して実行することができることを理解する。例えば、端末装置１３０が決定、装置１４０の解錠などのタスクを処理するとき、端末装置１３０は、そのようなタスクを処理するためにそのプロセッサ内の論理回路を動作させてもよい。端末装置１３０がクエリ（例えば、装置１４０の位置に関連する情報）をサーバ１１０に送信するとき、端末装置１３０のプロセッサは、クエリを符号化する電気信号を生成してもよい。端末装置１３０のプロセッサは、その後に電気信号を出力ポートに送信してもよい。端末装置１３０が有線ネットワークを介してサーバ１１０と通信すると、出力ポートは、電気信号をサーバ１１０の入力ポートにさらに送信するケーブルに物理的に接続されてもよい。端末装置１３０が無線ネットワークを介してサーバ１１０と通信すると、端末装置１３０の出力ポートは、電気信号を電磁信号に変換する１つ以上のアンテナであってもよい。同様に、装置１４０及び／又は錠前１７０は、そのプロセッサ内の論理回路の動作によりタスクを処理し、かつ電気信号又は電磁信号を介してサーバ１１０から命令及び／又はサービス注文を受信してもよい。端末装置１３０、装置１４０、錠前１７０及び／又はサーバ１１０などの電子装置内で、そのプロセッサが命令の処理、命令の送信、及び／又は動作を行うとき、命令及び／又は動作は、電気信号を介して実行される。例えば、プロセッサは、記憶媒体（例えば、ストレージ１５０）からデータ（例えば、複数のユーザプロファイル）を検索するとき、記憶媒体の構造化データを読み取ることができる記憶媒体の読み取り装置に電気信号を送信してもよい。構造化データは、電子装置のバスを介して電気信号の形でプロセッサに送信されてもよい。ここで、電気信号は、１つの電気信号、１連の電気信号及び／又は複数の離散電気信号を指してもよい。
【００７７】
図２は、本開示のいくつかの実施形態に係るコンピューティング装置２００の例示的なハードウェア及び／又はソフトウェア部品を示す概略図である。コンピューティング装置２００は、汎用コンピュータ又は専用コンピュータであってもよい。コンピューティング装置２００は、本明細書で説明されるように、セキュリティシステム１００の任意の部品を実装するために使用されてもよい。例えば、サーバ１１０の処理エンジン１１２、及び／又は端末装置１３０は、そのハードウェア、ソフトウェアプログラム、ファームウェア、又はそれらの組み合わせを介してコンピューティング装置２００で実装されてもよい。便宜上、このようなコンピュータの１つのみを示すが、処理負荷を分散させるために、本明細書に記載されたセキュリティシステム１００に関連するコンピュータ機能は、複数の同様のプラットフォームに分散して実装されてもよい。
【００７８】
コンピューティング装置２００は、例えば、データ通信を容易にするために、それに接続されたネットワーク（例えば、ネットワーク１２０）に接続され、かつそれから接続されたＣＯＭポート２５０を含んでもよい。コンピューティング装置２００はまた、プログラム命令を実行して本明細書で説明されるサーバ１１０の機能を実行するためのプロセッサ２２０を含んでもよい。例示的なコンピュータプラットフォームとしては、様々なデータファイルをコンピュータで処理及び／又は送信するために、内部通信バス２１０と、ディスク２７０、リードオンリーメモリ（ＲＯＭ）２３０又はランダムアクセスメモリ（ＲＡＭ）２４０のような様々な形態のプログラムストレージとデータストレージとが挙げられてもよい。例示的なコンピュータプラットフォームとしてはまた、プロセッサ２２０によって実行される、ＲＯＭ２３０、ＲＡＭ２４０、及び／又は他のタイプの非一時的な記憶媒体に記憶されたプログラム命令が挙げられてもよい。本開示の方法及び／又はプロセスは、プログラム命令として実装されてもよい。コンピューティング装置２００はまた、コンピュータ、ユーザ、及びその中の他の部品の間の入力／出力をサポートするＩ／Ｏ２６０を含む。コンピューティング装置２００はまた、ネットワーク通信を介してプログラミング及びデータを受信してもよい。
【００７９】
単なる例示を目的とし、１つのＣＰＵ及び／又はプロセッサのみをコンピューティング装置２００内に記載する。しかしながら、本開示におけるコンピューティング装置２００も複数のＣＰＵ及び／又はプロセッサを含んでもよいため、本開示で説明されるように、１つのＣＰＵ及び／又はプロセッサによって実行される動作及び／又は方法ステップも、複数のＣＰＵ及び／又はプロセッサによって共同で又は別々に実行されてもよいことが注意されるべきである。例えば、コンピューティング装置２００のＣＰＵ及び／又はプロセッサは、ステップＡとステップＢの両方を実行してもよい。別の例において、ステップＡとステップＢはまた、コンピューティング装置２００内の２つの異なるＣＰＵ及び／又はプロセッサによって共同で又は別々に実行されてもよい（例えば、第１のプロセッサがステップＡを実行し、かつ第２のプロセッサがステップＢを実行するか、又は第１及び第２のプロセッサがステップＡ及びＢを共同で実行する）。
【００８０】
図３は、本開示のいくつかの実施形態に係る、端末装置が実装されるモバイルデバイス３００の例示的なハードウェア及び／又はソフトウェアコンポーネントを示す概略図である。図３に示すように、モバイルデバイス３００は、通信モジュール３１０、ディスプレイ３２０、グラフィック処理ユニット（ＧＰＵ）３３０、プロセッサ３４０、Ｉ／Ｏ３５０、メモリ３６０及びストレージ３９０を含んでもよい。いくつかの実施形態では、システムバス又はコントローラ（図示せず）を含むが、これらに限定されない任意の他の適切な部品も、モバイルデバイス３００に含まれてもよい。いくつかの実施形態では、モバイルオペレーティングシステム３７０（例えば、ｉＯＳＴＭ、ＡｎｄｒｏｉｄＴＭ、Ｗｉｎｄｏｗｓ  ＰｈｏｎｅＴＭ）及び１つ以上のアプリケーション３８０は、プロセッサ３４０によって実行されるために、ストレージ３９０からメモリ３６０にロードされてもよい。アプリケーション３８０は、サーバ１１０からの装置１４０の状態に関連する情報（例えば、車両１４０の位置）を送信し、受信し、かつ提示するためのブラウザ又は任意の他の適切なアプリを含んでもよい。情報ストリームとのユーザ対話は、Ｉ／Ｏ３５０を介して達成され、かつネットワーク１２０を介してセキュリティシステム１００のサーバ１１０及び／又は他の部品に提供されてもよい。いくつかの実施形態では、ユーザは、モバイルデバイス３００を介して装置１４０（例えば、自転車）を借りてもよい（又は賃借してもよい）。ユーザはまた、モバイルデバイス３００を介して装置１４０の錠前１７０を制御してもよい。例えば、ユーザは、モバイルデバイス３００を介して錠前を閉めるための命令を入力してもよい。
【００８１】
図４は、本開示のいくつかの実施形態に係る例示的な錠前のハードウェアコンポーネントを示す概略図である。錠前１７０は、錠杆４０１、係止ピン４０２、位置制限部品４０３、実行部品４０４、ハンドル４０５、ロックシェル４２０、防水構造４３０、カバーシールド４４０及びプロセッサ４５０などの１つ以上の部品を含んでもよい。いくつかの実施形態では、１つ以上の部品は、省略されてもよい。例えば、防水構造４３０、カバーシールド４４０及び／又はプロセッサ４５０は、省略されてもよい。錠前１７０の構造の多くの説明は、本開示の他の場所（例えば、図５Ａ〜９Ｃ及びその説明）に見出すことができる。
【００８２】
錠杆４０１は、対象（例えば、装置１４０）を保護するように構成されてもよい。錠杆４０１は、所定の経路に沿って移動可能であってもよい。いくつかの実施形態では、錠杆４０１の端部は、２つの位置（例えば、図６Ａに示すような位置Ｃと位置Ｄ）の間に移動可能であってもよい。錠杆４０１は、例えばステンレス鋼、銅、アルミニウム、鉄、ポリスチレン（ＰＳ）、ポリメチルメタクリレート（ＰＭＭＡ）、ポリホルムアルデヒド（ＰＯＭ）、ポリカーボネート（ＰＣ）、ポリエチレンテレフタレート（ＰＥＴ）、ポリブチレンテレフタレート（ＰＢＴ）、ポリフェニレンオキシド（ＰＰＯ）など、又はそれらの任意の組み合わせなどを含む材料で製造されてもよい。いくつかの実施形態では、錠杆４０１は、１つ以上の錠杆溝を含んでもよい。錠杆溝は、例えば、係止ピン４０２と協働して、錠杆４０１が錠杆４０１の軸方向（２つの位置、例えば、図６Ａに示すような位置Ｃと位置Ｄとの間で）移動することを阻止してもよい。
【００８３】
係止ピン４０２は、特定の条件下で、錠杆４０１が錠杆４０１の軸方向に沿って移動することを阻止するように構成されてもよい。係止ピン４０２は、錠杆溝内に挿入されて、錠杆４０１が錠杆４０１の軸方向に沿って移動することを阻止してもよい。いくつかの実施形態では、係止ピン４０２は、連結ピン及び駆動ピンを含んでもよい。連結ピンは、駆動ピンに接続されてもよい。駆動ピンは、連結ピンを錠杆の錠杆溝に挿入するように駆動してもよい。いくつかの実施形態では、係止ピン４０２は、アクチュエータモータに接続されてもよい。アクチュエータモータは、連結ピンの移動を駆動してもよい。いくつかの実施形態では、アクチュエータモータは、係止ピンが錠杆溝から離れて錠前１７０を解錠するように駆動してもよい。いくつかの実施形態では、係止ピン４０２は、係止ピン４０２の往復移動方向に沿って伸縮自在であってもよい。例えば、係止ピン４０２の少なくとも一部は、ロックシェル４２０の内側又は外側に移動可能であってもよい。いくつかの実施形態では、係止ピン４０２又はロックシェル４２０の内側は、制限ピンホールを含んでもよい。制限ピンホールは、例えば、位置制限部品４０３と協働して、係止ピン４０２の位置が係止ピン４０２の軸方向に沿って移動することを阻止してもよい。係止ピン４０２の往復移動方向は、係止ピン４０２の軸方向と同じであってもよい。
【００８４】
位置制限部品４０３は、係止ピン４０２が係止ピン４０２の軸方向に沿って移動することを阻止するように構成されてもよい。いくつかの実施形態では、位置制限部品４０３は、係止ピン４０２が錠杆４０１が錠杆４０１の軸方向に沿って移動することを阻止するとき、係止ピン４０２が係止ピン４０２の軸方向に沿って移動することを阻止してもよい。例えば、位置制限部品４０３は、係止ピン４０２が錠杆溝から離れることを阻止してもよい。したがって、錠前１７０を解錠するための命令がないと、ロックシェル４２０に対する係止ピン４０２の位置は変化しなくてもよい。いくつかの実施形態では、位置制限部品４０３は、少なくとも１つの固定部及び少なくとも１つの伸縮部を含んでもよい。いくつかの実施形態では、伸縮部は、少なくとも１つの固定部に接続されてもよい。いくつかの実施形態では、固定部は、ロックシェル４２０又は係止ピン４０２に固定されてもよい。係止ピン４０２が錠杆４０１が錠杆４０１の軸方向に沿って移動することを阻止した後、伸縮部は、係止ピン４０２の制限ピンホール内に挿入されてもよい。
【００８５】
実行部品４０４は、位置制限部品４０３の第１の移動及び／又は係止ピン４０２の第２の移動を駆動するように構成されてもよい。いくつかの実施形態では、位置制限部品４０３の第１の移動は、位置制限部品４０３が制限ピンホールから離れる移動を含んでもよい。係止ピン４０２の第２の移動は、係止ピン４０２が錠杆溝から離れる移動を含んでもよい。いくつかの実施形態では、位置制限部品４０３の第１の移動は、係止ピン４０２の第２の移動より早くてもよい。
【００８６】
いくつかの実施形態では、実行部品４０４は、ロックシェル４２０内に収容されてもよい。いくつかの実施形態では、実行部品４０４は、係止ピン４０２及び／又は位置制限部品４０３に接続されるか又は取り付けられてもよい。いくつかの実施形態では、実行部品４０４は、駆動機構及び伝達機構を含んでもよい。駆動機構は、ステッピングモータ、直流（ＤＣ）モータ、サーボモータ、同期モータ、スイッチトリラクタンスモータ、非同期モータなどを含んでもよい。伝達機構は、ラック伝達機構、歯車伝達機構などを含んでもよい。
【００８７】
ハンドル４０５は、錠杆４０１のマニュアル操作を容易にするように構成されてもよい。いくつかの実施形態では、ハンドル４０５は、錠杆４０１に取り付けられてもよい。ハンドル４０５は、所定の経路に沿って移動可能であってもよい。いくつかの実施形態では、ハンドル４０５は、２つの位置（例えば、図６Ａに示すような位置Ａと位置Ｂ）の間に移動可能であってもよい。錠杆４０１は、ハンドル４０５と共に移動してもよい。錠前１７０の状態は、ハンドル４０５及び／又は錠杆４０１の移動に伴って変化してもよい。例えば、図６Ａに示すようにハンドル６０３が位置Ｂにある場合、錠前６００は、施錠状態を有してもよい。別の例として、ハンドル６０３が位置Ｂにいない（例えば、位置Ａにある）場合、錠前６００は、解錠状態を有してもよい。さらなる例として、図６Ａに示すように錠杆６０２の第１の端部が位置Ｃまで移動する場合、錠前６００は、解錠状態を有してもよい。さらなる例として、錠杆６０２の第１の端部が位置Ｃまで移動する場合、図６Ａに示すように錠前６００は、施錠状態を有してもよい。
【００８８】
ロックシェル４２０は、錠杆４０１の少なくとも一部、係止ピン４０２の少なくとも一部、位置制限部品４０３の少なくとも一部、実行部品４０４の少なくとも一部などを収容するように構成されてもよい。例えば、ロックシェル４２０は、係止ピン４０２、位置制限部品４０３、実行部品４０４、錠杆４０１の少なくとも一部などを収容してもよい。いくつかの実施形態では、ロックシェル４２０は、本開示の他の場所で説明された、錠前１７０の別の部品（例えば、測位モジュール、通信モジュール、シリンダなど、又はそれらの任意の組み合わせ）を収容するように構成されてもよい。
【００８９】
防水構造４３０は、錠杆４０１の少なくとも一部、係止ピン４０２の少なくとも一部、位置制限部品４０３の少なくとも一部、実行部品４０４の少なくとも一部などが水に曝されないように保護するように構成されてもよい。いくつかの実施形態では、防水構造４３０は、ロックシェル４２０、係止ピン４０２及び防水管を含んでもよい。防水管は、ロックシェル４２０及び係止ピン４０２に接続されてもよく、また防水管は、ロックシェル４２０と係止ピン４０２との間の裂け目を阻止してもよい。いくつかの実施形態では、防水管は、係止ピン４０２の少なくとも一部の周りに配置されてもよい。いくつかの実施形態では、防水管は、伸縮自在であってもよい。いくつかの実施形態では、防水管は、係止ピン４０２の移動方向と同じであるか又は対向する方向に沿って伸縮自在であってもよい。例えば、係止ピン４０２の少なくとも一部がロックシェル４２０の外側に移動する場合、防水管は、伸びてもよい。別の例として、係止ピン４０２の少なくとも一部がロックシェル４２０の内側に移動する場合、防水管は、収縮してもよい。いくつかの実施形態では、防水管は、伸縮自在でなくてもよい。例えば、防水管は、可撓性であり、かつロックシェル４２０の内側又は外側に移動可能な係止ピン４０２の少なくとも一部の周りに配置されるのに十分な長さを有してもよい。いくつかの実施形態では、本明細書で説明された防水構造４３０は、他のタイプの装置、例えば、キーボード、カメラ、レコーダーに使用されてもよい。
【００９０】
カバーシールド４４０は、ロックシェル４２０の開口部を閉じ、かつ物体が開口部を貫通してロックシェル４２０内に落ちることを防止するように構成されてもよい。例えば、カバーシールド４４０は、石及び木の枝のような物体がロックシェル４２０内に落ちることを防止してもよい。いくつかの実施形態では、錠前１７０が施錠されるとき、カバーシールド４４０は、開口部を閉じてもよい。代替的又は追加的に、錠前１７０が解錠されるとき、カバーシールド４４０は、開口部を閉じてもよい。いくつかの実施形態では、カバーシールド４４０は、ハンドル４０５、ロックシェル４２０、錠杆４０１、又はそれらの組み合わせに接続されてもよい。
【００９１】
プロセッサ４５０は、錠前１７０の１つ以上の部品（例えば、錠杆４０１、係止ピン４０２、位置制限部品４０３、実行部品４０４、ハンドル４０５）を制御するように構成されてもよい。例えば、プロセッサ４５０は、位置制限部品４０３の第１の移動及び／又は係止ピン４０２の第２の移動を駆動して、錠前１７０を解錠するために、実行部品４０４に１つ以上の命令を送信するように構成されてもよい。命令は、例えば、ボタンを押すこと、数字ボタンを押すこと、正しいパスワードを入力すること、錠前１７０を解錠するためのバーコードを走査することなどによるユーザの入力を含んでよい。いくつかの実施形態では、プロセッサ４５０は、ロックシェル４２０内に収容されてもよい。
【００９２】
なお、錠前１７０の上記説明は、例示を目的として提供されたものに過ぎず、本開示の範囲を限定するものではない。当業者であれば、本開示の教示下で複数の変形及び修正を行ってもよい。しかしながら、これらの変形及び修正は、本開示の範囲から逸脱するものではない。例えば、錠前１７０の１つ以上の部品（例えば、防水構造４３０、カバーシールド４４０、位置制限部品４０３、プロセッサ４５０）は、省略されてもよい。
【００９３】
図５Ａ−５Ｄは、本開示のいくつかの実施形態に係る２つの例示的な防水構造の断面図を示す。図５Ａに示すように、防水構造５００ａは、密封壁５１０、往復移動片５０１、密封環５０２及び防水空間５０３を含んでもよい。
【００９４】
いくつかの実施形態では、密封環５０２は、密封壁５１０と往復移動片５０１との間に収容されてもよい。密封環５０２は、密封壁５１０と往復移動片５０１との間の裂け目を充填し、かつ密封壁５１０を密封してもよい。いくつかの実施形態では、密封環５０２は、密封壁５１０及び往復移動片５０１に機械的に接続されてもよい。密封環５０２の断面形状は、異なってもよい。例えば、密封環５０２の断面形状は、Ｕ状、Ｏ状、長方形又はＹ状であってもよい。密封環５０２の材料は、異なってもよい。例えば、密封環５０２は、例えば、アクリロニトリルブタジエンゴム（ＮＢＲ）、水素化ブタジエンアクリロニトリルゴム（ＨＮＢＲ）、シリコーンゴム、フッ素ゴム、エチレンプロピレンゴム（ＥＰＲ）、クロロプレンゴム、ブチルゴム、天然ゴム、ポリウレタンゴム、金属ゴムなど、又はそれらの任意の組み合わせを含む材料で製造されてもよい。
【００９５】
防水空間５０３は、水が流れ込むことを防止することができる隔離された場所を指してもよい。いくつかの実施形態では、密封壁５１０及び往復移動片５０１は、密封環５０２で密封されてもよい。したがって、密封壁５１０、往復移動片５０１及び密封環５０２は、防水空間５０３を取り囲んでもよい。いくつかの実施形態では、往復移動片５０１の少なくとも一部が図５Ａの矢印によって示される方向に沿って密封壁５１０の内側又は外側に移動するとき、水が防水空間５０３に流れ込むことを防止してもよい。いくつかの実施形態では、往復移動片５０１は、往復移動片５０１の移動中に密封環５０２に力を加えてもよい。
【００９６】
図５Ｂ−５Ｄに示すように、防水構造５００ｂは、密封壁５１０、往復移動片５０１、防水空間５０３、防水管５２０及び貫通孔５０４を含んでもよい。いくつかの実施形態では、往復移動片５０１の少なくとも一部は、図５Ｂの矢印によって示される方向に沿って貫通孔５０４を貫通して密封壁５１０の内側又は外側へ移動可能であってもよい。いくつかの実施形態では、防水管５２０は、密封壁５１０及び往復移動片５０１に接続されてもよく、また防水管５２０は、密封壁５１０と往復移動片５０１との間の裂け目を阻止してもよい。したがって、密封壁５１０、往復移動片５０１及び防水管５２０は、防水空間５０３を取り囲んでもよい。
【００９７】
いくつかの実施形態では、防水管５２０は、往復移動片５０１の少なくとも一部の周りに配置されてもよい。いくつかの実施形態では、防水管５２０は、伸縮自在であってもよい。いくつかの実施形態では、防水管５２０は、往復移動片５０１の少なくとも一部の移動方向と同じであるか又は対向する方向（例えば、図５Ｂの矢印によって示される方向）に沿って伸縮自在であってもよい。いくつかの実施形態では、往復移動片５０１の少なくとも一部が密封壁５１０の外側に移動する場合、防水管５２０が伸びて、防水管５２０の長さが増加し、往復移動片５０１の少なくとも一部が密封壁５１０の内側に移動する場合、防水管５２０が収縮して、防水管５２０の長さが減少する。いくつかの実施形態では、往復移動片５０１の少なくとも一部が密封壁５１０の内側に移動する場合、防水管５２０が伸びて、防水管５２０の長さが増加し、往復移動片５０１の少なくとも一部が密封壁５１０の外側に移動する場合、防水管５２０が収縮して、防水管５２０の長さが減少する。防水管５２０が往復移動片５０１の少なくとも一部の移動に伴って伸びるか又は収縮することができるため、往復移動片５０１の少なくとも一部は、防水管５２０からの抵抗を受けずに移動してもよい。したがって、防水管５２０の耐用年数を延ばすことができ、往復移動片５０１が何度も移動した後でも、水が防水空間５０３に流れ込むことを防止することができる。いくつかの実施形態では、防水管５２０は伸縮自在でなくてもよいことを注意すべきである。例えば、防水管５２０は、可撓性であり、かつ密封壁５１０の内側又は外側に移動可能である往復移動片５０１の少なくとも一部の周りに配置されるのに十分な長さを有してもよい。
【００９８】
いくつかの実施形態では、防水管５２０は、可撓性材料、防食材料、弾性材料、耐摩耗性材料など、又はそれらの組み合わせのうちの少なくとも１種を含む材料で製造されてもよい。例示的な防食材料としては、ステンレス鋼、チタン、チタン合金、フェノール樹脂、エポキシ樹脂、ＮＢＲ、ＨＮＢＲ、シリコーンゴム、フッ素ゴム、ＥＰＲ、クロロプレンゴム、ブチルゴム、天然ゴム、ポリウレタンゴム、金属ゴムなど、又はそれらの任意の組み合わせが挙げられてもよい。例示的な弾性材料としては、ＮＢＲ、ＨＮＢＲ、シリコーンゴム、フッ素ゴム、ＥＰＲ、クロロプレンゴム、ブチルゴム、天然ゴム、金属ゴム、ポリウレタンエラストマー、ポリオレフィンエラストマー、スチレンブタジエンスチレン（ＳＢＳ）など、又はそれらの任意の組み合わせが挙げられてもよい。例示的な耐摩耗性材料としては、ＮＢＲ、ＨＮＢＲ、シリコーンゴム、フッ素ゴム、ＥＰＲ、クロロプレンゴム、ブチルゴム、天然ゴム、金属ゴム、ポリウレタンエラストマー、ポリオレフィンエラストマー、ＳＢＳ、ポリテトラフルオロエチレン（ＰＴＥＦ）など、又はそれらの任意の組み合わせが挙げられてもよい。
【００９９】
いくつかの実施形態では、防水管５２０は、第１の接続端５２０１及び第２の接続端５２０２を含んでもよい。いくつかの実施形態では、防水管５２０の第１の接続端５２０１は、密封壁５１０に接続されてもよい。いくつかの実施形態では、防水管５２０の第２の接続端５２０２は、往復移動片５０１に接続されてもよい。いくつかの実施形態では、防水管５２０の第１の接続端５２０１と密封壁５１０との接続、及び／又は防水管５２０の第２の接続端５２０２と往復移動片５０１との接続は、接着剤を用いて実現されてもよい。いくつかの実施形態では、防水管５２０の第１の接続端５２０１の第１の開口寸法は、防水管５２０の第２の接続端５２０２の第２の開口寸法より大きくてもよい。いくつかの実施形態では、第１の接続端５２０１と第２の接続端５２０２との間の防水管５２０の少なくとも一部は、波形の伸縮管、又は螺旋状の伸縮管などであってもよい。貫通孔５０４に流れ込む水は、防水管５２０の第１の接続端５２０１と第２の接続端５２０２によって阻止され、また防水空間５０３内に流れ込まない。
【０１００】
いくつかの実施形態では、防水管５２０の第１の接続端５２０１は、様々な形態で密封壁５１０に接続されてもよい。例えば、図５Ｂに示すように、防水管５２０の第１の接続端５２０１は、密封壁５１０の内側に接続されてもよい。例えば、図５Ｃに示すように、防水管５２０の第１の接続端５２０１は、貫通孔５０４の壁に接続されてもよい。いくつかの実施形態では、第１の接続端５２０１の少なくとも一部は、往復移動片５０１に直接的に接触しなくてもよい。それに応じて、防水管５２０の第１の接続端５２０１と往復移動片５０１との間に裂け目がある可能性がある。いくつかの実施形態では、第１の接続端５２０１と往復移動片５０１との間に裂け目の幅は、所定の値又は適切な値（例えば、１ｍｍ、２ｍｍ、３ｍｍなど）より小さくてもよい。いくつかの実施形態では、第２の接続端５２０２は、往復移動片５０１に直接的に接触してもよい。
【０１０１】
いくつかの実施形態では、防水管５２０の第１の接続端５２０１及び／又は第２の接続端５２０２は、突出部を含んでもよい。それに応じて、密封壁５１０及び／又は往復移動片５０１は、突出部に対応する１つ以上の溝を含んでもよい。防水管５２０の第１の接続端５２０１と密封壁５１０との接続、及び／又は防水管５２０の第２の接続端５２０２と往復移動片５０１との接続は、突出部及び水で強化されてもよい。したがって、往復移動片５０１が何度も移動した後でも、第１の接続端５２０１の密封壁５１０からの分離及び第２の接続端５２０２の往復移動片５０１からの分離を回避してもよい。
【０１０２】
単なる例として、防水管５２０の第１の接続端５２０１は、第１の突出部（図示せず）を含んでもよい。第１の接続端５２０１が密封壁５１０の内側に接触する場合、密封壁５１０の内側は、第１の突出部に対応する第１の溝（図示せず）を含んでもよい。第１の接続端５２０１が貫通孔５０４の壁に接触する場合、貫通孔５０４の壁は、第１の突出部に対応する第１の溝（図示せず）を含んでもよい。いくつかの実施形態では、ロックシェル（例えば、ロックシェル４２０（図４を参照）、ロックシェル６０１（図６Ａ−６Ｄを参照）は、密封壁５１０として使用されてもよい。それに応じて、ロックシェルの内側又はロックシェルの貫通孔の壁は、第１の突出部に対応する第１の溝を含んでもよい。いくつかの実施形態では、第１の突出部は、第１の溝内に挿入可能であり、また防水管５２０の第１の接続端５２０１と密封壁５１０又は貫通孔５０４との接続は、強化されてもよい。
【０１０３】
別の例として、図５Ｄに示すように、防水管５２０の第２の接続端５２０２は、第２の突出部５２０３を含んでもよい。いくつかの実施形態では、往復移動片５０１は、第２の突出部５２０３に対応する第２の溝５０１４を含んでもよい。いくつかの実施形態では、係止ピン（例えば、係止ピン４０２（図４を参照）、係止ピン７２０（図８Ａ−９Ｃを参照）は、往復移動片５０１として使用されてもよい。それに応じて、係止ピンは、第２の溝を含んでもよい。第２の突出部５２０３は、第２の溝５０１４内に挿入可能であり、また防水管５２０の第２の接続端５２０２と往復移動片５０１との接続は、強化されてもよい。
【０１０４】
いくつかの実施形態では、突出部の断面形状は、異なってもよい。例えば、突出部の断面形状は、環状、環状体、円筒形、立方体、トライプリズムなどであってもよい。それに応じて、溝は、突出部に対応する断面形状を有してもよい。例えば、突出部の断面形状が円筒形である場合、溝の対応する断面形状は、円筒形であってもよい。別の例として、突出部の断面形状がトライプリズムである場合、溝の対応する断面形状は、トライプリズムであってもよい。
【０１０５】
防水構造５００ｂは、例えば、装置１４０の錠前、キーボード、カメラのボタン、リコーダーのボタンなどの様々な装置に適用されてもよい。それに応じて、貫通孔５０４の断面形状及び／又は往復移動片５０１の断面形状は、防水構造５００ｂの特定の適用環境に関連してもよい。例えば、貫通孔５０４の断面は、円形、楕円形、帯状、三角形、多角形を有してもよい。いくつかの実施形態では、往復移動片５０１の断面形状は、貫通孔５０４に対応してもよい。例えば、貫通孔５０４の断面は、円形を有する場合、往復移動片５０１の断面は、円筒形を有してもよい。
【０１０６】
いくつかの実施形態では、防水管５２０の内側の断面形状は、往復移動片５０１の断面形状に関連してもよい。いくつかの実施形態では、防水管５２０を往復移動片５０１の少なくとも一部の周りに配置されることを容易にするために、防水管５２０の内側の断面形状は、往復移動片５０１の断面形状と同じであってもよい。例えば、往復移動片５０１の断面は、円筒形を有する場合、防水管５２０の内側の断面は、円筒形を有してもよい。貫通孔５０４、往復移動片５０１及び／又は防水管５２０の断面形状は、説明のみを目的とするものに過ぎず、本開示の範囲を限定するものではないことに留意すべきである。
【０１０７】
いくつかの実施形態では、図５Ａ−５Ｄに示される防水構造は、錠前に適用されてもよい。いくつかの実施形態では、錠前は、ロックシェル、係止ピン、防水管、通信モジュール、測位モジュール、シリンダ、又は本開示で説明された任意の他の部品を含んでよい。ロックシェルは、錠前の少なくとも一部（例えば、係止ピン、通信モジュール、測位モジュール、シリンダなど）を収容してもよい。ロックシェルは、密封壁５１０として使用されてもよい。ロックシェルは、貫通孔を含んでもよい。係止ピンの少なくとも一部は、貫通孔を貫通してロックシェルの内側又は外側へ移動可能であってもよい。防水管は、係止ピンの少なくとも一部の周りに配置されてもよい。防水管は、ロックシェルと係止ピンとの間の裂け目を阻止してもよい。防水管は、第１の接続端及び第２の接続端を含んでもよい。防水管の第１の接続端は、ロックシェルの内側（又は外側）又は貫通孔の壁に接続されてもよい。防水管の第２の接続端は、係止ピンに接続されてもよい。係止ピンは、往復移動片５０１として使用されてもよい。いくつかの実施形態では、係止ピン及び防水管の構造は、それぞれ往復移動片５０１及び防水管５２０の構造に似てもよい。いくつかの実施形態では、係止ピンは、ロックシェルの貫通孔に対応する断面形状を有してもよい。いくつかの実施形態では、防水管は、ロックシェルの貫通孔に対応する断面形状を有してもよい。いくつかの実施形態では、錠前は、ロックシェル内に防水空間を含んでもよい。いくつかの実施形態では、防水空間は、防水管、ロックシェル及び／又は係止ピンによって閉じられてもよい。防水空間は、錠前の１つ以上の部品、例えば、ブルートゥース（登録商標）通信モジュール、ネットワーク通信モジュール、測位モジュール、シリンダなど、又はそれらの組み合わせを収容してもよい。
【０１０８】
なお、防水構造５００ａ及び防水構造５００ｂの上記説明は、例示を目的として提供されたものに過ぎず、本開示の範囲を限定するものではない。当業者であれば、本開示の教示下で複数の変形及び修正を行ってもよい。しかしながら、これらの変形及び修正は、本開示の範囲から逸脱するものではない。
【０１０９】
図６Ａ−６Ｆは、本開示のいくつかの実施形態に係る、カバーシールドを有する例示的な錠前の断面図を示す。図６Ａに示すように、錠前６００は、ロックシェル６０１、錠杆６０２、ハンドル６０３、カバーシールド６０４、及びロックシェル６０１に配置された開口部６０６を含んでもよい。いくつかの実施形態では、錠前６００は、錠杆６０２が錠杆６０２の軸方向に沿って移動することを阻止するように構成された係止ピン（図示せず）を含んでもよい。
【０１１０】
ロックシェル６０１は、錠前６００の少なくとも一部（例えば、錠杆６０２、測位モジュール、通信モジュール）を収容してもよい。ロックシェル６０１は、例えばステンレス鋼、銅、アルミニウム、鉄、ポリスチレン（ＰＳ）、ポリメチルメタクリレート（ＰＭＭＡ）、ポリホルムアルデヒド（ＰＯＭ）、ポリカーボネート（ＰＣ）、ポリエチレンテレフタレート（ＰＥＴ）、ポリブチレンテレフタレート（ＰＢＴ）、ポリフェニレンオキシド（ＰＰＯ）など、又はそれらの任意の組み合わせなどを含む材料で製造されてもよい。
【０１１１】
錠杆６０２は、対象（例えば、装置１４０）を保護するか又は施錠してもよい。いくつかの実施形態では、錠杆６０２の少なくもと一部は、ロックシェル６０１内に収容されるか又はそれによって遮蔽されてもよい。錠杆６０２は、例えばステンレス鋼、銅、アルミニウム、鉄、ポリスチレン（ＰＳ）、ポリメチルメタクリレート（ＰＭＭＡ）、ポリホルムアルデヒド（ＰＯＭ）、ポリカーボネート（ＰＣ）、ポリエチレンテレフタレート（ＰＥＴ）、ポリブチレンテレフタレート（ＰＢＴ）、ポリフェニレンオキシド（ＰＰＯ）など、又はそれらの任意の組み合わせなどを含む材料で製造されてもよい。いくつかの実施形態では、錠杆６０２及びロックシェル６０１は、同じ材料で製造されてもよい。いくつかの実施形態では、錠杆６０２及びロックシェル６０１は、異なる材料で製造されてもよい。
【０１１２】
いくつかの実施形態では、ハンドル６０３は、錠杆６０２に取り付けられてもよい。いくつかの実施形態では、ハンドル６０３は、錠杆６０２のマニュアル操作を容易にするように構成されてもよい。いくつかの実施形態では、ハンドル６０３及び／又は錠杆６０２は、所定の経路に沿って摺動可能であってもよい。いくつかの実施形態では、錠前６００の状態（例えば、施錠又は解錠）は、ハンドル６０３の移動に伴って変化してもよい。例えば、図６Ａに示すようにハンドル６０３が位置Ｂにある場合、錠前６００は、施錠状態を有してもよい。別の例として、ハンドル６０３が位置Ｂにいない（例えば、位置Ａにある）場合、錠前６００は、解錠状態を有してもよい。いくつかの実施形態では、ハンドル６０３の移動は、錠杆６０２の駆動を駆動してもよい。例えば、図６Ａに示すように、ハンドル６０３が位置Ａにある場合、錠杆６０２の第１の端部は、位置Ｃに移動してもよい。別の例として、図６Ａに示すように、ハンドル６０３が位置Ｂにある場合、錠杆６０２の第１の端部は、位置Ｃに移動してもよい。ロックシェル６０１の開口部６０６は、ハンドル６０３の移動を容易にしてもよい。いくつかの実施形態では、ロックシェル６０１の開口部６０６は、錠杆６０２の軸方向に沿って伸びてもよい。いくつかの実施形態では、ロックシェル６０１の開口部６０６の伸び方向は、ハンドル６０３及び／又は錠杆６０２の移動方向に対応してもよい。いくつかの実施形態では、ハンドル６０３は、ロックシェル６０１の開口部６０６に沿って摺動可能であってもよい。
【０１１３】
ハンドル６０３は、例えばステンレス鋼、銅、アルミニウム、鉄、ポリスチレン（ＰＳ）、ポリメチルメタクリレート（ＰＭＭＡ）、ポリホルムアルデヒド（ＰＯＭ）、ポリカーボネート（ＰＣ）、ポリエチレンテレフタレート（ＰＥＴ）、ポリブチレンテレフタレート（ＰＢＴ）、ポリフェニレンオキシド（ＰＰＯ）など、又はそれらの任意の組み合わせなどを含む材料で製造されてもよい。ハンドル６０３の断面は、円筒形、多角形形状、片状などを有してもよい。いくつかの実施形態では、ハンドル６０３の上端は、グローブを含んでもよい。グローブは、例えばステンレス鋼、銅、アルミニウム、鉄、ポリスチレン（ＰＳ）、ポリメチルメタクリレート（ＰＭＭＡ）、ポリホルムアルデヒド（ＰＯＭ）、ポリカーボネート（ＰＣ）、ポリエチレンテレフタレート（ＰＥＴ）、ポリブチレンテレフタレート（ＰＢＴ）、ポリフェニレンオキシド（ＰＰＯ）など、又はそれらの任意の組み合わせなどを含む材料で製造されてもよい。いくつかの実施形態では、グローブの断面は、円筒形、多角形形状などを有してもよい。ハンドル６０３の操作快適性は、グローブで向上してもよい。
【０１１４】
いくつかの実施形態では、錠前６００が施錠される場合、ロックシェル６０１の内部空間は、開口部６０６を介して曝されてもよい。いくつかの実施形態では、物体が開口部６０６を貫通してロックシェル６０１内に落ちる可能性があり、錠杆６０２が動けなくなり、錠前６００の解錠動作が影響を受ける可能性がある。例示的な物体は、石、木の枝など、又はそれらの組み合わせを含んでもよい。カバーシールド６０４は、ロックシェル６０１の開口部６０６を閉じ、物体がロックシェル６０１内に落ちることを防止するように構成されてもよい。いくつかの実施形態では、錠前６００が施錠されるとき、カバーシールド６０４は、ロックシェル６０１の開口部６０６を閉じてもよい。いくつかの実施形態では、錠前６００が解錠されるとき、カバーシールド６０４は、ロックシェル６０１の開口部６０６を閉じてもよい。例えば、カバーシールド６０４の長さは、開口部６０６の長さ以上であってもよく、カバーシールド６０４は、ハンドル６０３の錠杆６０２と反対側に配置されてもよく、錠前６００が施錠されるとき、カバーシールド６０４は、開口部６０６を閉じてもよい。別の例として、カバーシールド６０４の長さは、開口部６０６の長さの２倍以上であってもよく、カバーシールド６０４の半分は、ハンドル６０３の錠杆６０２と反対側の一側に取り付けられ、カバーシールド６０４の他の半分は、錠杆６０２のハンドル６０３と同じ側に取り付けられてもよく、カバーシールド６０４は、錠前６００が解錠されるとき、開口部６０６を閉じてもよい。
【０１１５】
いくつかの実施形態では、カバーシールド６０４は、開口部６０６の平面内でロックシェル６０１の開口部６０６と同じ又は類似の形状を有してもよい。例えば、カバーシールド６０４が開口部６０６の平面内で環状扇形の形状を有する場合、ロックシェル６０１の開口部６０６は、環状扇形の形状を有してもよい。いくつかの実施形態では、カバーシールド６０４は、二次元シート構造を有してもよい。いくつかの実施形態では、カバーシールド６０４は、フランジを含む三次元構造を有してもよい。いくつかの実施形態では、カバーシールド６０４の面積は、開口部６０６の面積よりも比較的大きくてもよい。いくつかの実施形態では、開口部６０６の平面内におけるカバーシールド６０４の投影は、ロックシェル６０１の開口部６０６と重なり合ってもよい。いくつかの実施形態では、カバーシールド６０４は、ロックシェル６０１の内部又は外部にあってもよい。例えば、カバーシールド６０４は、開口部６０６に近いロックシェル６０１の内面又は外面にあってもよい。代替的に、カバーシールド６０４は、ロックシェル６０１の外面にあり、かつ錠杆６０２の開口部６０６を覆ってもよい。
【０１１６】
図６Ｂ−６Ｄに示すように、カバーシールド６０４は、ハンドル６０３、錠杆６０２、及び／又はロックシェル６０１に取り付けられるか又は接続されてもよい。図６Ｂに示すように、カバーシールド６０４は、ハンドル６０３に接続されてもよい。いくつかの実施形態では、カバーシールド６０４は、溶接、差し込み、接合、接着など、又はそれらの組み合わせによってハンドル６０３に接続されてもよい。例示的な溶接方法としては、被覆アーク溶接（ＳＭＡＷ）、マグ溶接（ＭＡＧＷ）、ミグ溶接（ＭＩＧＷ）、ガスタングステンアーク溶接（ＧＴＡＷ）、抵抗溶接など、又はそれらの組み合わせが挙げられてもよい。いくつかの実施形態では、カバーシールド６０４は、１つ以上の機械的要素を介してハンドル６０３に接続されてもよい。例示的な機械的要素としては、ネジ、ナット、ガスケット、気密接着剤、気密接着テープなどが挙げられてもよい。
【０１１７】
図６Ｃに示すように、カバーシールド６０４は、錠杆６０２に接続されてもよい。いくつかの実施形態では、カバーシールド６０４は、金属固定カラム６０５を介して錠杆６０２に接続されてもよい。いくつかの実施形態では、カバーシールド６０４は、例えば、溶接、差し込み、接合、接着、又は１つ以上の機械的要素を介して錠杆６０２に接続されてもよい。
【０１１８】
いくつかの実施形態では、図６Ｄに示すように、カバーシールド６０４は、ロックシェル６０１に直接的に接触してもよい。カバーシールド６０４は、例えば、溶接、差し込み、接合、接着、又は１つ以上の機械的要素を介してロックシェル６０１に直接的に固定されてもよい。
【０１１９】
いくつかの実施形態では、カバーシールド６０４は、ハンドル６０３の移動中に、その位置を保持してもよい。例えば、図６Ｄに示すように、カバーシールド６０４は、ロックシェル６０１に直接的に接触してもよく、カバーシールド６０４は、ハンドル６０３の移動中に、その位置を維持してもよい。代替的に、カバーシールド６０４の位置は、ハンドル６０３の移動に伴って変化してもよい。例えば、図６Ｂ及び６Ｃに示すように、カバーシールド６０４は、ハンドル６０３及び／又は錠杆６０２に接続されてもよく、カバーシールド６０４は、ハンドル６０３及び錠杆６０２に伴って移動してもよい。
【０１２０】
いくつかの実施形態では、図６Ｅに示すように、カバーシールド６０４は、シート６０４２を含んでもよい。シート６０４２は、第１のスリット６０４１を含んでもよい。いくつかの実施形態では、図６Ｆに示すように、カバーシールド６０４は、２つのシート（例えば、シート６０４３及びシート６０４４）を含んでもよい。シート６０４３及びシート６０４４は、第２のスリット６０４５を形成するように適合してもよい。いくつかの実施形態では、第１のスリット６０４１の延在方向及び／又は第２のスリット６０４５の延在方向は、カバーシールド６０４の延在方向と同じであってもよい。いくつかの実施形態では、第１のスリット６０４１の延在方向、第２のスリット６０４５の延在方向及び／又はカバーシールド６０４の延在方向は、ハンドル６０３の移動方向に対応してもよい。いくつかの実施形態では、ハンドル６０３の移動方向に沿う第１のスリット６０４１及び／又は第２のスリット６０４５の長さは、ハンドル６０３の移動方向に沿うロックシェル６０１の開口部６０６の長さ以上であってもよい。いくつかの実施形態では、第１のスリット６０４１及び／又は第２のスリット６０４５は、カバーシールド６０４の中央部にあってもよい。
【０１２１】
いくつかの実施形態では、第１のスリット６０４１及び／又は第２のスリット６０４５の幅を調節してもよい。いくつかの実施形態では、第１のスリット６０４１及び／又は第２のスリット６０４５の幅をボタンを押すか又は回転させることにより調節してもよい。ボタンは、カバーシールド６０４上に位置してもよい。いくつかの実施形態では、ハンドル６０３及び／又は錠杆６０２が移動するか又は移動し始まるとき、第１のスリット６０４１及び／又は第２のスリット６０４５の幅を自動的に調節してもよい。いくつかの実施形態では、錠前が施錠状態及び／又は解錠状態にあるとき、第１のスリット６０４１及び／又は第２のスリット６０４５の幅は減少し、またカバーシールド６０４は、ロックシェル６０１の開口部６０６を閉じてもよい。いくつかの実施形態では、ハンドル６０３及び／又は錠杆６０２が移動するか又は移動し始まるとき、第１のスリット６０４１及び／又は第２のスリット６０４５の幅は増加し、ハンドル６０３及び／又は錠杆６０２の移動を容易にしてもよい。
【０１２２】
いくつかの実施形態では、シート６０４２、シート６０４３及び／又はシート６０４４は、弾性材料を含んでもよい。いくつかの実施形態では、図６Ｅに示されるように、シート６０４２の第１のスリット６０４１は、閉じる傾向がある。いくつかの実施形態では、図６Ｆに示されるように、シート６０４３とシート６０４４は、互いに近づく傾向があり、第２のスリット６０４５は閉じる傾向がある。いくつかの実施形態では、シート６０４３及びシート６０４４に外力を加える場合、第２のスリット６０４５を強制的に開くことができる。外力が除去された後、第２のスリット６０４５を閉じることができる。例えば、第２のスリット６０４５は、ハンドル６０３の移動中に強制的に開くことができ、またハンドル６０３が静止しているときに閉じることができる。
【０１２３】
いくつかの実施形態では、カバーシールド６０４は、弾性材料又は剛性材料を含んでもよい。例示的な弾性材料としては、ＮＢＲ、ＨＮＢＲ、シリコーンゴム、フッ素ゴム、ＥＰＲ、クロロプレンゴム、ブチルゴム、天然ゴム、金属ゴム、ポリウレタンエラストマー、ポリオレフィンエラストマー、スチレンブタジエンスチレン（ＳＢＳ）など、又はそれらの任意の組み合わせが挙げられてもよい。例示的な剛性材料は、金属、合金、ステンレス鋼、剛性プラスチックなどが挙げられてもよい。いくつかの実施形態では、カバーシールド６０４は、保護塗装膜を含んでもよい。保護塗装膜は、例えば、防水材料、日焼け止め材料、防食材料など、又はそれらの任意の組み合わせを含む材料で製造されてもよい。防水材料としては、天然アスファルト、石油アスファルト、コールピッチ、エチレンプロピレンゴム（ＥＰＲ）、クロロプレンゴム、ブチルゴム、ポリ塩化ビニル（ＰＶＣ）、ポリイソブチレン（ＰＩＢ）、ポリウレタン（ＰＵ）、セメントなど、又はそれらの任意の組み合わせが挙げられてもよい。日焼け止め材料としては、サトウキビ繊維、キシロン、ガラス繊維、ポリスチレン（ＰＳ）、ポリ塩化ビニル（ＰＶＣ）、ポリウレタン（ＰＵ）、尿素−ホルムアルデヒド樹脂、アルミニウム箔など、又はそれらの任意の組み合わせが挙げられてもよい。例示的な防食材料としては、本開示の他の場所（例えば、図５Ａ−５Ｄ及びそれらの説明）に見出すことができる。
【０１２４】
なお、錠前６００の上記説明は、例示を目的として提供されたものに過ぎず、本開示の範囲を限定するものではない。当業者であれば、本開示の教示下で複数の変形及び修正を行ってもよい。しかしながら、これらの変形及び修正は、本開示の範囲から逸脱するものではない。例えば、錠前６００はさらに、図５Ａ−５Ｄに示すような防水構造を含んでもよい。別の例として、錠前６００はさらに、解錠コードを設定するための１つ以上のボタンを含んでもよい。ユーザは、解錠コードに対応するボタンを押してもよい。解錠コードが有効である場合、ハンドル６０３は、例えば位置Ｂから位置Ａへ自動的に移動し、かつ錠杆６０２が移動して錠前６００を開くように駆動し、又はユーザは、ハンドル６０３を（例えば、位置Ｂから位置Ａへ）を移動させて、錠杆６０２が移動して錠前６００を開くように駆動してもよい。いくつかの実施形態では、ユーザは、手動で（例えば位置Ａから位置Ｂへ）ハンドル６０３を移動させ、錠杆６０２が移動して錠前６００を施錠するようにを駆動してもよい。
【０１２５】
図７は、本開示のいくつかの実施形態に係る例示的な錠前の一部の断面図を示す。いくつかの実施形態では、錠前７００は、駆動ピン７０１、連結ピン７０２、錠杆７０３及びアクチュエータモータ７０４を含んでもよい。図７に示すように、連結ピン７０２は、駆動ピン７０１に接続されてもよい。いくつかの実施形態では、駆動ピン７０１は、連結ピン７０２が移動するように駆動してもよい。いくつかの実施形態では、駆動ピン７０１は、連結ピン７０２を錠杆７０３の溝（錠杆溝７０３１とも呼ばれる）に挿入して錠前７００を施錠するように駆動するように構成されてもよい。いくつかの実施形態では、アクチュエータモータ７０４は、連結ピン７０２に付着してもよい。アクチュエータモータ７０４は、連結ピン７０２の移動を駆動してもよい。いくつかの実施形態では、アクチュエータモータ７０４は、連結ピン７０２が錠杆７０３の溝から離れて錠前７００を解錠するように駆動してもよい。いくつかの実施形態では、アクチュエータモータ７０４は、ステッピングモータ、直流（ＤＣ）モータ、サーボモータ、同期モータ、スイッチトリラクタンスモータ、非同期モータなどを含んでもよい。
【０１２６】
図８Ａ−８Ｃは、本開示のいくつかの実施形態に係る、位置制限部品を有する例示的な錠前の断面図を示す。錠前８００は、錠前１７０の一実施形態であってもよい。錠前８００は、本開示で説明されるその機能を実装するための１つ以上の機構の任意の組み合わせを含んでもよい。錠前８００は、ロックシェル７１０、係止ピン７２０、位置制限部品７３０、実行部品７４０及び錠杆７０３を含んでもよい。ロックシェル７１０及び／又は錠杆７０３の詳細な説明は、本開示の他の場所（例えば、図４−６Ｆ及びその関連説明）に見出すことができる。
【０１２７】
いくつかの実施形態では、係止ピン７２０、位置制限部品７３０、実行部品７４０及び錠杆７０３の少なくとも一部は、ロックシェル７１０の内側にあってもよい。係止ピン７２０は、錠杆７０３が錠杆７０３の軸方向に沿って移動すること及び／又は錠前８００を施錠することを阻止してもよい。いくつかの実施形態では、係止ピン７２０は、錠杆７０３の溝（錠杆溝とも呼ばれる）内に移動することによって錠杆７０３を阻止してもよい。
【０１２８】
いくつかの実施形態では、位置制限部品７３０は、係止ピン７２０が係止ピン７２０の軸方向に沿って移動することを阻止してもよい。いくつかの実施形態では、位置制限部品７３０は、係止ピン７２０が錠杆７０３が錠杆７０３の軸方向に沿って移動することを阻止するとき、係止ピン７２０が係止ピン７２０の軸方向に沿って移動することを阻止してもよい。錠前８００を解錠するための命令又は操作がない場合、位置制限部品７３０は、係止ピン７２０が錠杆溝から離れることを阻止し、かつロックシェル７１０に関連する係止ピン７２０の位置は、そのまま変化しなくてもよい。錠前８００が衝撃を受けるか又は外力を受ける場合にも、係止ピン７２０の位置は、位置制限部品７３０によって制限され、係止ピン７２０は、依然として錠杆７０３が錠杆７０３の軸方向に沿って移動することを阻止し、それにより錠前８００は解錠されない。したがって、錠前８００の安全性能を向上させることができる。
【０１２９】
図８Ｂに示すように、位置制限部品７３０は、少なくとも１つの固定部７３０１及び少なくとも１つの伸縮部７３０２を含んでもよい。伸縮部７３０２は、固定部７３０１に接続されるか又は付着してもよい。いくつかの実施形態では、固定部７３０１は、ロックシェル７１０に固定されてもよい。いくつかの実施形態では、伸縮部７３０２は、弾性があってもよい。いくつかの実施形態では、伸縮部７３０２は、弾性がなく、また伸縮部７３０２は、弾性要素（例えば、ばね、たわみストリップなど）を介して固定部７３０１に接続されてもよい。いくつかの実施形態では、伸縮部７３０２は、ＮＢＲ、ＨＮＢＲ、シリコーンゴム、フッ素ゴム、ＥＰＲ、クロロプレンゴム、ブチルゴム、天然ゴム、金属ゴム、ポリウレタンエラストマー、ポリオレフィンエラストマー、スチレンブタジエンスチレン（ＳＢＳ）など、又はそれらの任意の組み合わせを含む材料で製造されてもよい。いくつかの実施形態では、係止ピン７２０（例えば、連結ピン７０２）は、少なくとも１つの制限ピンホール７２０１を含んでもよい。制限ピンホール７２０１は、位置制限部品７３０を収容するように構成されてもよい。いくつかの実施形態では、制限ピンホール７２０１は、係止ピン７２０の軸方向に対して垂直であってもよい。追加的又は代替的に、制限ピンホール７２０１は、ロックシェル７１０の内側に対して垂直であってもよい。いくつかの実施形態では、係止ピン７２０が錠杆７０３が錠杆７０３の軸方向に沿って移動することを阻止すると、伸縮部７３０２が係止ピン７２０の制限ピンホール７２０１に挿入され、位置制限部品７３０は係止ピン７２０の位置を制限してもよい。
【０１３０】
いくつかの実施形態では、図８Ａに示される実行部品７４０は、係止ピン７２０（例えば、連結ピン７０２）及び／又は位置制限部品７３０（例えば、伸縮部７３０２）に接続されるか又はそれらに付着してもよい。いくつかの実施形態では、実行部品７４０は、位置制限部品７３０の第１の移動及び／又は係止ピン７２０の第２の移動を駆動して、錠前８００を解錠してもよい。いくつかの実施形態では、位置制限部品７３０の第１の移動は、位置制限部品７３０が係止ピン７２０から離れる移動を含んでもよい。いくつかの実施形態では、位置制限部品７３０の第１の移動は、伸縮部７３０２が制限ピンホール７２０１から離れる移動を含んでもよい。いくつかの実施形態では、係止ピン７２０の第２の移動は、係止ピン７２０が錠杆７０３から離れる移動を含んでもよい。いくつかの実施形態では、係止ピン７２０の第２の移動は、係止ピン７２０が錠杆溝から離れる移動を含んでもよい。いくつかの実施形態では、位置制限部品７３０の第１の移動は、係止ピン７２０の第２の移動より早くてもよい。いくつかの実施形態では、実行部品７４０は、ロックシェル７１０の内側にあってもよい。
【０１３１】
いくつかの実施形態では、図８Ｃに示すように、錠前を解錠する命令を受信した後、図８Ａに示される実行部品７４０などの実行部品（図８Ｃに図示せず）は、位置制限部品７３０が係止ピン７２０から離れるように駆動してもよい。いくつかの実施形態では、実行部品は、係止ピン７２０が錠杆７０３から離れて錠前８００を解錠するように駆動してもよい。例示的な命令としては、例えば、ボタンを押すこと、数字ボタンを押すこと、パスワードを入力すること、錠前８００を解錠するためのバーコードを走査することなどによるユーザの装置１４０への入力が挙げられてもよい。
【０１３２】
図９Ａ−９Ｃは、本開示のいくつかの実施形態に係る、位置制限部品を有する例示的な錠前の断面図を示す。図９Ａに示すように、係止ピン７２０は、駆動ピン７０１及び連結ピン７０２を含んでもよい。連結ピン７０２は、駆動ピン７０１に接続されてもよい。いくつかの実施形態では、駆動ピン７０１は、連結ピン７０２が移動するように駆動してもよい。いくつかの実施形態では、連結ピン７０２は、駆動ピン７０１によって駆動されるとき、錠杆７０３の溝（錠杆溝とも呼ばれる）に挿入されてもよい。いくつかの実施形態では、連結ピン７０２は、実行部品７４０に接続されるか又は付着してもよい。いくつかの実施形態では、図８Ｂ、８Ｃ及び９Ａに示すように、連結ピン７０２は、少なくとも１つの制限ピンホール７２０１を含んでもよく、すなわち、制限ピンホール７２０１は、連結ピン７０２に配置されてもよい。いくつかの実施形態では、図９Ｂ−９Ｃに示すように、ロックシェル７１０の内側は、少なくとも１つの制限ピンホール７２０１を含んでもよく、すなわち、制限ピンホール７２０１は、ロックシェル７１０内にあるように構成されてもよい。制限ピンホール７２０１は、位置制限部品７３０を収容するように構成されてもよい。いくつかの実施形態では、制限ピンホール７２０１は、係止ピン７２０の軸方向に対して垂直であってもよい。追加的又は代替的に、制限ピンホール７２０１は、ロックシェル７１０の内側に対して垂直であってもよい。位置制限部品７３０は、少なくとも１つの固定部７３０１及び少なくとも１つの伸縮部７３０２を含んでもよい。いくつかの実施形態では、伸縮部７３０２は、弾性があってもよい。伸縮部７３０２は、固定部７３０１に接続されるか又は付着してもよい。いくつかの実施形態では、図８Ｂ、８Ｃ及び９Ａに示すように、固定部７３０１は、ロックシェル７１０に固定されてもよい。いくつかの実施形態では、図９Ｂ−９Ｃに示すように、固定部７３０１は、係止ピン７２０（連結ピン７０２）に固定されてもよい。
【０１３３】
いくつかの実施形態では、実行部品７４０は、駆動機構及び伝達機構（図示せず）を含んでもよい。いくつかの実施形態では、伝達機構は、駆動機構に連結されてもよい。いくつかの実施形態では、駆動機構は、力を出力するように構成されてもよい。いくつかの実施形態では、伝達機構は、第１の部分及び第２の部分を含んでもよい。伝達機構の第１の部分は、係止ピン７２０の連結ピン７０２に接続されるか又は取り付けられてもよい。伝達機構の第１の部分は、伸縮部７３０２が制限ピンホール７２０１から離れるように駆動するために、力を伝達するように構成されてもよい。伝達機構の第２の部分は、位置制限部品７３０の伸縮部７３０２に接続されるか又は取り付けられてもよい。伝達機構の第２の部分は、連結ピン７２０が錠杆溝から離れるように駆動するために、力を伝達するように構成されてもよい。いくつかの実施形態では、駆動機構は、ステッピングモータ、直流（ＤＣ）モータ、サーボモータ、同期モータ、スイッチトリラクタンスモータ、非同期モータなどを含んでもよい。いくつかの実施形態では、伝達機構は、ラック伝達機構、歯車伝達機構などを含んでもよい。
【０１３４】
いくつかの実施形態では、実行部品７４０は、係止ピン７２０（例えば、連結ピン７０２）及び／又は位置制限部品７３０（例えば、伸縮部７３０２）に接続されるか又はそれらに付着してもよい。いくつかの実施形態では、実行部品７４０は、位置制限部品７３０の第１の移動及び／又は係止ピン７２０の第２の移動を駆動して、錠前９００を解錠してもよい。いくつかの実施形態では、位置制限部品７３０の第１の移動は、位置制限部品７３０がロックシェル７１０から離れる移動を含んでもよい。いくつかの実施形態では、位置制限部品７３０の第１の移動は、伸縮部７３０２がロックシェル７１０の制限ピンホール７２０１から離れる移動を含んでもよい。いくつかの実施形態では、係止ピン７２０の第２の移動は、係止ピン７２０が錠杆７０３から離れる移動を含んでもよい。いくつかの実施形態では、係止ピン７２０の第２の移動は、連結ピン７２０が錠杆溝から離れる移動を含んでもよい。いくつかの実施形態では、制限ピンホール７２０１がロックシェル７１０から離れる第１の移動は、係止ピン７２０の第２の移動よりも早くあり得る。いくつかの実施形態では、実行部品７４０は、ロックシェル７１０の内側にあり得る。
【０１３５】
図９Ｂに示すように、係止ピン７２０が錠杆７０３が錠杆７０３の軸方向に沿って移動することを阻止すると、伸縮部７３０２がロックシェル７１０の制限ピンホール７２０１に挿入されてもよい。図９Ｃに示すように、錠前９５０を解錠する命令を受信した後、実行部品７４０は、位置制限部品７３０がロックシェル７１０から離れるように駆動してもよい。いくつかの実施形態では、実行部品７４０は、係止ピン７２０が錠杆７０３から離れて錠前９５０を解錠するように駆動してもよい。例示的な命令としては、例えば、ボタンを押すこと、数字ボタンを押すこと、パスワードを入力すること、錠前を解錠するためのバーコードを走査することなどによるユーザの装置１４０への入力が挙げられてもよい。
【０１３６】
いくつかの実施形態では、錠前８００（又は錠前９００、又は錠前９５０）は、プロセッサ（図示せず）を含んでもよい。例えば、プロセッサは、位置制限部品７３０の第１の移動及び／又は係止ピン７２０の第２の移動を駆動して、錠前８００（錠前９００、又は錠前９５０）を解錠するために、実行部品７４０に１つ以上の命令を送信してもよい。命令は、例えば、ボタンを押すこと、数字ボタンを押すこと、正しいパスワードを入力すること、錠前を解錠するためのバーコードを走査することなどによるユーザの入力を含んでよい。いくつかの実施形態では、実行部品７４０の少なくとも一部は、プロセッサに電気的に接続されてもよい。プロセッサは、中央処理装置（ＣＰＵ）、特定用途向け集積回路（ＡＳＩＣ）、特定用途向け命令セットプロセッサ（ＡＳＩＰ）、画像処理装置（ＧＰＵ）、物理演算処理装置（ＰＰＵ）、デジタルシグナルプロセッサ（ＤＳＰ）、フィールドプログラマブルゲートアレイ（ＦＰＧＡ）、プログラマブルロジックデバイス（ＰＬＤ）、コントローラ、マイクロコントローラユニット、縮小命令セットコンピュータ（ＲＩＳＣ）、マイクロプロセッサなど、又はそれらの任意の組み合わせを含んでもよい。
【０１３７】
これらの説明は例示的なものであり、本開示の範囲を限定するものではない。その多数の代替手段、修正及び使用は、当業者には明らかであろう。本明細書に記載の例示的な実施形態の特徴、構造、方法及びその他の特徴は、追加の及び／又は代替の例示的実施形態を得るために様々な方法で組み合わせることができる。しかしながら、これらの変形及び修正は、本開示の範囲から逸脱するものではない。
【０１３８】
なお、錠前８００、錠前９００及び錠前９５０の上記説明は、例示を目的として提供されたものに過ぎず、本開示の範囲を限定するものではない。当業者であれば、本開示の教示下で複数の変形及び修正を行ってもよい。しかしながら、これらの変形及び修正は、本開示の範囲から逸脱するものではない。例えば、錠前８００、錠前９００又は錠前９５０はさらに、図５Ａ−５Ｄに示される防水構造を含んでもよい。別の例として、錠前８００、錠前９００又は錠前９５０はさらに、図６Ａ−６Ｆに示されるカバーシールドを含んでもよい。
【０１３９】
図１０は、本開示のいくつかの実施形態に係る、錠前を解錠する例示的なプロセスを示すフローチャートである。いくつかの実施形態では、錠前（例えば、図６Ａ−９Ｃに示される錠前）を解錠するためのプロセス１０００は、図１に示されるセキュリティシステム１００内で実装されてもよい。プロセス１０００の１つ以上の動作は、端末装置１３０及び／又はサーバ１１０内で実装されてもよい。プロセス１０００の１つ以上の動作は、ストレージ１５０に記憶され、処理エンジン１１２によって呼び出され及び／又は実施される１つ以上の命令として実装されてもよい。以下に提示される図示のプロセスの動作は、例示であることを意図するものである。いくつかの実施形態では、プロセス１０００は、説明されていない１つ以上の追加の動作で、及び／又は１つ以上の説明された動作なしで達成されてもよい。さらに、図１０に示され、以下に説明されるプロセス１０００の動作の順序は、限定的なものではない。
【０１４０】
１０１０では、リモートプロセッサ（例えば、処理エンジン１１２、プロセッサ２２０、プロセッサ３４０など）は、１つ以上の命令を実行部品（例えば、図９Ａ及び図８Ａに示すような実行部品７４０）に送信してもよい。この命令は、実行部品７４０に、図８Ａ−図９Ｃに説明された錠前を解錠するように指示してもよい。いくつかの実施形態では、装置１４０のユーザは、リモートプロセッサに命令を送信してもよい。次いで、リモートプロセッサは、命令を実行部品７４０に送信してもよい。いくつかの実施形態では、装置１４０のユーザは、命令を錠前（例えば、錠前８００、錠前９００、錠前９５０）のプロセッサ（例えば、プロセッサ４５０）に送信してもよい。その後に、錠前のプロセッサは、命令を実行部品７４０に送信してもよい。命令は、例えば、ボタンを押すこと、数字ボタンを押すこと、パスワードを入力すること、錠前を解錠するためのバーコードを走査することなどによるユーザの入力を含んでよい。
【０１４１】
１０２０では、実行部品７４０は、位置制限部品（例えば、図８Ａ−図９Ｃに示すような位置制限部品７３０）が係止ピン（例えば、図８Ａ−図９Ｃに示すような係止ピン７２０）の位置制限を解除するように駆動してもよい。いくつかの実施形態では、実行部品７４０の駆動機構は、力を出力してもよい。実行部品７４０の伝達機構は、位置制限部品が係止ピンの位置制限を解除するように駆動するために、力を伝達してもよい。例えば、図８Ａ−図９Ｃに示すように、伝達機構の第１の部分は、位置制限部品７３０の伸縮部７３０２が連結ピン７０２又はロックシェル７１０に配置された制限ピンホール７２０１から離れるように駆動するために、力を伝達してもよい。
【０１４２】
１０３０では、実行部品７４０は、係止ピン（例えば、係止ピン７２０）が錠杆７０３から離れて錠前（例えば、錠前８００、錠前９００、錠前９５０）を解錠するように駆動してもよい。いくつかの実施形態では、実行部品７４０は、係止ピンの位置制限が解除された後、係止ピンを移動させるように駆動してもよい。いくつかの実施形態では、実行部品７４０の伝達機構は、係止ピン（例えば、係止ピン７２０）の連結ピン（例えば、連結ピン７０２）が錠杆溝から離れるように駆動するために、力を伝達してもよい。例えば、図８Ａ−図９Ｃに示すように、伝達機構の第２の部分は、連結ピン７２０が錠杆溝から離れるように駆動するために、力を伝達してもよい。
【０１４３】
なお、プロセス１０００の上記説明は、例示のために提供されたものに過ぎず、本開示の範囲を限定するものではない。当業者であれば、本開示の教示下で複数の変形及び修正を行ってもよい。しかしながら、これらの変形及び修正は、本開示の範囲から逸脱するものではない。例えば、動作１０２０及び１０３０は同時に実行されてもよく、動作１０２０及び１０３０は単一の動作に統合されてもよい。
【０１４４】
以上のように基本概念を説明してきたが、当業者には、この詳細な開示を読んだ後、前述の詳細な開示が、単なる例として提示されているに過ぎず、限定するものではないことは明らかである。本明細書には明示的に述べられていないが、様々な変更、改良及び修正が可能であり、それらは当業者に意図される。これらの変更、改良及び修正は、本開示によって示唆されることが意図されており、本開示の例示的な実施形態の精神及び範囲内にある。
【０１４５】
さらに、所定の用語は、本開示の実施形態を説明するために用いられている。例えば、「一実施形態」、「実施形態」及び／又は「いくつかの実施形態」という用語は、この実施形態に関連して説明される特定の特徴、構造又は特性が本開示の少なくとも１つの実施形態に含まれることを意味する。したがって、本明細書の様々な部分における「実施形態」又は「一実施形態」又は「代替実施形態」への２つ以上の言及は、必ずしも全て同一の実施形態を指すわけではないことを強調し、それを理解するものとする。さらに、特定の特徴、構造、又は特性は、本開示の１つ以上の実施形態では適切に組み合わせられてもよい。
【０１４６】
さらに、当業者には理解されるように、本開示の態様は、本明細書において、任意の新規で有用なプロセス、機械、製造、又は組成物、又はそれらの新規で有用な改良を含む、多くの特許性のある種類又は文脈のいずれかで例示及び説明されてもよい。したがって、本開示の態様は、完全にハードウェア、完全にソフトウェア（ファームウェア、常駐ソフトウェア、マイクロコードなどを含む）、又はソフトウェアとハードウェアとの組み合わせによる実装により実装されてもよく、実装は、本明細書では、一般に、「ユニット」、「モジュール」、又は「システム」と総称されてもよい。さらに、本開示の態様は、具現化されたコンピュータ可読プログラムコードを有する１つ以上のコンピュータ可読媒体に具現化されたコンピュータプログラム製品の形態をとることもできる。
【０１４７】
コンピュータ可読信号媒体は、例えば、ベースバンドに、又は搬送波の一部として組み込まれたコンピュータ可読プログラムコードを有する伝搬データ信号を含み得る。このような伝搬信号は、電磁気、光学など、又はそれらの任意の適切な組み合わせを含む様々な形態のいずれかをとることができる。コンピュータ可読信号媒体は、コンピュータ可読記憶媒体ではないが、命令実行システム、機器もしくは装置によって用いられるか、又はこれらに関連させて使用するためのプログラムを通信、伝搬又は伝送し得る任意のコンピュータ可読媒体であってもよい。コンピュータ可読信号媒体上に具現化されたプログラムコードは、無線、有線、光ファイバケーブル、ＲＦなど、又は前述の任意の適切な組み合わせを含む任意の適切な媒体を使用して送信されてもよい。
【０１４８】
本開示の態様の動作を実行するためのコンピュータプログラムコードは、Ｊａｖａ（登録商標）、Ｓｃａｌａ、Ｓｍａｌｌｔａｌｋ、Ｅｉｆｆｅｌ、ＪＡＤＥ、Ｅｍｅｒａｌｄ、Ｃ＋＋、Ｃ＃、ＶＢ．ＮＥＴ、Ｐｙｔｈｏｎなどのオブジェクト指向プログラミング言語、「Ｃ」プログラミング言語、Ｖｉｓｕａｌ  Ｂａｓｉｃ、Ｆｏｒｔｒａｎ  ２１０３、Ｐｅｒｌ、ＣＯＢＯＬ  ２１０２、ＰＨＰ、ＡＢＡＰなどの従来の手続き型プログラミング言語、Ｐｙｔｈｏｎ、Ｒｕｂｙ及びＧｒｏｏｖｙなどの動的プログラミング言語、又は他のプログラミング言語を含む、１つ以上のプログラミング言語の任意の組み合わせで書き込まれてもよい。プログラムコードは、完全にユーザのコンピュータ上で、部分的にはユーザのコンピュータ上で、スタンドアロンのソフトウェアパッケージとして、部分的にユーザのコンピュータ上で、部分的にリモートコンピュータ上で、又は完全にリモートコンピュータもしくはサーバ上で実行されてもよい。後者のシナリオでは、リモートコンピュータは、ローカルエリアネットワーク（ＬＡＮ）又はワイドエリアネットワーク（ＷＡＮ）を含む任意のタイプのネットワークを介してユーザのコンピュータに接続されてもよく、又は接続は、（例えば、インターネットサービスプロバイダを使用してインターネットを介して）外部コンピュータに対して、もしくはクラウドコンピューティング環境で行われるか、又はサービスとしてのソフトウェア（ＳａａＳ）などのサービスとして提供されてもよい。
【０１４９】
さらに、処理要素もしくはシーケンスの記載された順序、又はそれらに対する数字、文字、もしくは他の指定の使用は、特許請求されるプロセス及び方法を、特許請求の範囲に指定され得る以外にいかなる順序にも限定する意図はない。上記開示は、本開示の様々な有用な実施形態であると現在考えられるものを様々な実施例を通して論じているが、そのような詳細は当該目的のものでしかなく、添付の特許請求の範囲は、開示される実施形態に限定されず、それどころか、開示される実施形態の精神及び範囲内にある修正及び等価な構成を包含するように意図されることが理解されるべきである。例えば、上述した様々な部品の実装は、ハードウェア装置において具現化されてもよいが、ソフトウェアのみのソリューションとして、例えば、既存のサーバ又はモバイルデバイス上にインストールとして実装されてもよい。
【０１５０】
同様に、本開示の実施形態の前述の説明では、様々な特徴は、時に本開示を簡素化するために単一の実施形態、図、又はそれらの説明にグループ化されて、様々な本発明の実施形態の１つ以上の理解を支援していることが理解されるべきである。しかしながら、この開示方法は、特許請求される主題が各請求項に明示的に記載されるよりも多くの特徴を必要とするとの意図を反映したものであるとは解釈されてはならない。むしろ、本発明の実施形態は、前述の開示された単一の実施形態のすべての特徴よりも少ないものである。
【０１５１】
いくつかの実施形態では、本出願の特定の実施形態を記載して主張するために用いられる量又は特性を表す数は、いくつかの実例では用語「約」、「おおよそ」又は「実質的」によって修正されると理解されるべきである。例えば、別途に規定されない限り、「約」、「おおよそ」又は「実質的」は、それらが記載する値の±２０％変化量を表すことができる。したがって、いくつかの実施形態では、明細書又は添付の特許請求の範囲に記載される数値パラメータは、特定の実施形態によって取得されることが求められる所望の特性に応じて変化し得る近似値である。いくつかの実施形態では、数値パラメータは、報告された有意の数字の数に照らして、そして通常の丸め技術を適用することにより、解釈されるべきである。本出願のいくつかの実施形態の広い範囲に記載される数値範囲及びパラメータが近似値であるにもかかわらず、特定の実施例に記載される数値は、可能な限り正確に報告されている。
【０１５２】
本明細書で参照される特許、特許出願、特許出願の出版物、並びに、論文、書物、明細書、出版物、文書、事物及び／又は同様のものなどの他の材料のそれぞれは、すべての目的のためにその全体が参照により本明細書に組み入れられるが、それらに関連した任意の審査ファイル履歴、本文書と一致しないか又は矛盾するそれらのいずれか、あるいは本文書にここで又は後に関連する特許請求の最も広い範囲に関して限定的な影響を及ぼし得るそれらのいずれかは除外する。例として、組み込まれた任意の材料に関連する用語の説明、定義及び／又は使用と、本文書に関連する用語の説明、定義及び／又は使用との間に何らかの不一致又は矛盾が存在する場合、本文書における用語の説明、定義及び／又は使用が優先される。
【０１５３】
最後に、本明細書に開示された本出願の実施形態は、本出願の実施形態の原理を例示するものであると理解されるべきである。使用され得る他の修正は、本出願の範囲内であり得る。したがって、例として、本出願の実施形態の代替的な構成が本明細書中の教示に従って利用され得るが、それらに限定されない。したがって、本出願の実施形態は、まさに示され、説明されたようなものに限定されない。
【符号の説明】
【０１５４】
１  ネットワーク
１００  セキュリティシステム
１１０  サーバ
１１２  処理エンジン
１２０  ネットワーク
１２０−１  インターネット交換ポイント
１２０−２  インターネット交換ポイント
１３０  端末装置
１３０−１  モバイルデバイス
１３０−２  タブレット型コンピュータ
１３０−３  ラップトップ型コンピュータ
１３０−４  内蔵デバイス
１４０  装置
１５０  ストレージ
１６０  測位装置
１６０−１  衛星
１６０−２  衛星
１６０−３  衛星
１７０  錠前
２００  コンピューティング装置
２１０  内部通信バス
２２０  プロセッサ
２３０  リードオンリーメモリ（ＲＯＭ）
２４０  ランダムアクセスメモリ（ＲＡＭ）
２５０  ＣＯＭポート
２７０  ディスク
３００  モバイルデバイス
３１０  通信モジュール
３２０  ディスプレイ
３３０  グラフィック処理ユニット（ＧＰＵ）
３４０  プロセッサ
３６０  メモリ
３７０  モバイルオペレーティングシステム
３８０  アプリケーション
３９０  ストレージ
４０１  錠杆
４０２  係止ピン
４０３  位置制限部品
４０４  実行部品
４０５  ハンドル
４２０  ロックシェル
４３０  防水構造
４４０  カバーシールド
４５０  プロセッサ
５００ａ  防水構造
５００ｂ  防水構造
５０１  往復移動片
５０２  密封環
５０３  防水空間
５０４  貫通孔
５１０  密封壁
５２０  防水管
６００  錠前
６０１  ロックシェル
６０２  錠杆
６０３  ハンドル
６０４  カバーシールド
６０５  金属固定カラム
６０６  開口部
７００  錠前
７０１  駆動ピン
７０２  連結ピン
７０３  錠杆
７０４  アクチュエータモータ
７１０  ロックシェル
７２０  係止ピン
７３０  位置制限部品
７４０  実行部品
８００  錠前
９００  錠前
９５０  錠前
１０００  プロセス
１０２０  動作
１０３０  動作
２１０３  Ｆｏｒｔｒａｎ
５０１４  第２の溝
５２０１  第１の接続端
５２０２  第２の接続端
５２０３  第２の突出部
６０４１  第１のスリット
６０４２  シート
６０４３  シート
６０４４  シート
６０４５  第２のスリット
７０３１  錠杆溝
７２０１  制限ピンホール
７３０１  固定部
７３０２  伸縮部
【図１】
0006928737.tif 000002
【図２】
0006928737.tif 000003
【図３】
0006928737.tif 000004
【図４】
0006928737.tif 000005
【図５Ａ】
0006928737.tif 000006
【図５Ｂ】
0006928737.tif 000007
【図５Ｃ】
0006928737.tif 000008
【図５Ｄ】
0006928737.tif 000009
【図６Ａ】
0006928737.tif 000010
【図６Ｂ】
0006928737.tif 000011
【図６Ｃ】
0006928737.tif 000012
【図６Ｄ】
0006928737.tif 000013
【図６Ｅ】
0006928737.tif 000014
【図６Ｆ】
0006928737.tif 000015
【図７】
0006928737.tif 000016
【図８Ａ】
0006928737.tif 000017
【図８Ｂ】
0006928737.tif 000018
【図８Ｃ】
0006928737.tif 000019
【図９Ａ】
0006928737.tif 000020
【図９Ｂ】
0006928737.tif 000021
【図９Ｃ】
0006928737.tif 000022
【図１０】
0006928737.tif 000023